(57)【要約】【課題】ユーザによる表示装置の操作の利便性を向上させることのできる外部機器を実現する。【解決手段】ＰｉｎＰ表示画像の座標を取得する座標取得手段（２３）と、カーソルの、ＰｉｎＰ表示画像に対する相対的な動きを判別する判別手段（２２）と、処理を選択する選択手段（２２）と、処理を実行するよう表示装置に通知する通知手段（２３）と、を備える外部機器。【選択図】図１
2014209335.tif 000002
【特許請求の範囲】
【請求項１】
ＰｉｎＰ表示可能な表示装置に、画像を提供する外部機器であって、
当該外部機器が提供する画像に対して上記表示装置が重畳して表示するＰｉｎＰ表示画像の座標を取得する座標取得手段と、
当該外部機器が提供する画像に含まれるカーソルの、上記ＰｉｎＰ表示画像に対する相対的な動きを判別する判別手段と、
上記判別手段による判別結果に基づいて、予め定められた複数の処理のうち何れかの処理を選択する選択手段と、
上記選択手段が選択した処理を実行するよう上記表示装置に通知する通知手段と、を備えていることを特徴とする外部機器。
【請求項２】
上記判別手段が判別する、上記カーソルの上記ＰｉｎＰ表示画像に対する相対的な動きには、
上記カーソルが、上記ＰｉｎＰ表示画像の領域外から上記ＰｉｎＰ表示画像の領域内に移動する動き、
上記カーソルが、上記ＰｉｎＰ表示画像の領域内から上記ＰｉｎＰ表示画像の領域外に移動する動き、及び、
上記ＰｉｎＰ表示画像の領域内で一時的に停止する動き、
の少なくとも何れかの動きが含まれていることを特徴とする請求項１に記載の外部機器。
【請求項３】
上記予め定められた複数の処理には、
上記表示装置が受信する放送波のチャンネルを変更する処理、
上記表示装置のメニュー画面を表示する処理、
上記ＰｉｎＰ表示画像の位置を変更する処理、
上記ＰｉｎＰ表示画像の大きさを変更する処理、及び
操作ツールバーを表示する処理、
の少なくとも何れかの処理が含まれている、
ことを特徴とする請求項１または２に記載の外部機器。
【請求項４】
上記判別手段が、上記カーソルが上記ＰｉｎＰ表示画像の領域を縦方向に跨ぐ動きを判別した場合、
上記選択手段は、上記表示装置が受信する放送波のチャンネルを変更する処理を選択することを特徴とする請求項１から３の何れか１項に記載の外部機器。
【請求項５】
上記判別手段が、上記カーソルが上記ＰｉｎＰ表示画像の領域内に一時的に停止した動きを判別した場合、
上記選択手段は、上記表示装置のメニュー画面を表示する処理を選択することを特徴とする請求項１から４の何れか１項に記載の外部機器。
【請求項６】
上記判別手段は、上記カーソルが上記ＰｉｎＰ表示画像の領域に入る際に横切った一辺を判別し、
上記選択手段は、上記判別手段が判別した一辺から、上記表示装置のメニュー画面をスライドして表示する処理を選択することを特徴とする請求項５に記載の外部機器。
【請求項７】
上記判別手段が、上記カーソルが上記ＰｉｎＰ表示画像の領域を跨いで移動したうえで当該表示装置の表示領域の端に到達したと判別した場合、
上記選択手段は、上記ＰｉｎＰ表示画像の位置を変更する処理を選択することを特徴とする請求項１から６の何れか１項に記載の外部機器。
【請求項８】
上記判別手段が、上記カーソルが上記ＰｉｎＰ表示画像の領域を跨いで移動したうえで上記ＰｉｎＰ表示画像の境界で停止したと判別した場合、
上記選択手段は、上記ＰｉｎＰ表示画像の大きさを変更する処理を選択することを特徴とする請求項１から７の何れか１項に記載の外部機器。
【請求項９】
上記判別手段が、上記カーソルが上記ＰｉｎＰ表示画像の領域に一時的に入ったうえで再度上記ＰｉｎＰ表示画像の領域外に移動したと判別した場合、
上記選択手段は、操作ツールバーを表示する処理を選択することを特徴とする請求項１から８の何れか１項に記載の外部機器。
【請求項１０】
当該外部機器は、
ユーザが上記カーソルを操作するために用いる操作体に設けられたボタンが押下されたか否かを検出するボタン押下検出手段を更に備え、
上記判別手段が、上記カーソルが上記ＰｉｎＰ表示画像の領域に入った判別したうえで、
上記ボタン押下検出手段が、上記ボタンが押下されたことを検出した場合、
上記選択手段は、音量バーを表示する処理を選択することを特徴とする請求項１から９の何れか１項に記載の外部機器。
【請求項１１】
上記選択手段は、ユーザが操作を入力するためのボタンが押下されたか否かを参照することなく、上記判別手段による判別結果に基づいて、予め定められた複数の処理のうち何れかの処理を選択することを特徴とする請求項１から８の何れか１項に記載の外部機器。
【請求項１２】
セットトップボックスとして機能することを特徴とする請求項１から１１の何れか１項に記載の外部機器。
【請求項１３】
ＰｉｎＰ表示可能な表示装置に、画像を提供する外部機器の制御方法であって、
当該外部機器が提供する画像に対して上記表示装置が重畳して表示するＰｉｎＰ表示画像の座標を取得する座標取得工程と、
当該外部機器が提供する画像に含まれるカーソルの、上記ＰｉｎＰ表示画像に対する相対的な動きを判別する判別工程と、
上記判別工程における判別結果に基づいて、予め定められた複数の処理のうち何れかの処理を選択する選択工程と、
上記選択工程が選択した処理を実行するよう上記表示装置に通知する通知工程と、を備えていることを特徴とする制御方法。
【請求項１４】
ＰｉｎＰ表示可能な表示装置と、請求項１から１１の何れか１項に記載の外部機器と、を備えていることを特徴とする表示システム。
【請求項１５】
第１の画像に第２の画像を重畳して表示するＰｉｎＰ表示可能な表示装置であって、
当該表示装置が表示する上記第２の画像の座標を取得する座標取得手段と、
上記第１の画像に含まれるカーソルの、上記第２の画像に対する相対的な動きを判別する判別手段と、
上記判別手段による判別結果に基づいて、予め定められた複数の処理のうち何れかの処理を選択する選択手段と、
上記選択手段が選択した処理を実行する実行手段と、を備えていることを特徴とする表示装置。
【請求項１６】
請求項１５に記載の表示装置の上記各手段を備えていることを特徴とするテレビジョン受像機。
【発明の詳細な説明】
【技術分野】
【０００１】
本発明は、ＰｉｎＰ表示可能な表示装置に画像を提供する外部機器、当該外部機器の制御方法、当該表示装置および当該外部機器を備えた表示システム、当該表示装置、および当該表示装置として機能するテレビジョン受像機に関する。
【背景技術】
【０００２】
近年、スマートフォンやタブレットといった、１０インチ程度の大きさの画面を持つ端末が普及している。しかし、１０インチ程度では画面が小さいため、より大きな画面を持つテレビなどの表示装置にスマートフォンやタブレットを接続し、スマートフォンやタブレットの画像をテレビに映して見るユーザが増えている。また、このようなユーザのために、表示装置を備えておらず、スマートフォンやタブレットの機能のみを持たせたセットトップボックスも開発されている。
【０００３】
このようなセットトップボックスをテレビに接続した場合、テレビの大画面を有効に使うため、ユーザは、セットトップボックスの画像にテレビの画像を重畳してＰｉｎＰ（Picture In Picture）表示画像として表示するＰｉｎＰ機能を利用する場合が多い。しかし、ＰｉｎＰ機能を利用した場合、テレビに表示されている画像のうち、セットトップボックスのカーソルを操作するのは、セットトップボックスに接続したマウス等の操作機器である。一方、テレビに表示されている画像のうち、ＰｉｎＰ表示画像であるテレビの画像を調整するのは、テレビのリモートコントローラや本体に備えているキーといった、テレビの操作機器である。
【０００４】
このように、操作機器が複数あるとユーザが混乱するため、セットトップボックス（コンピュータ）に接続されたマウス等の操作機器を使って、直接的なセットトップボックスの操作以外の操作もできる技術が開示されている。
【０００５】
例えば、特許文献１には、ＴＶの映像とコンピュータ映像信号を合成した映像を供給でき、コンピュータのアイコンを操作することにより、ＴＶの映像を調整できる映像信号重畳装置が開示されている。
【０００６】
また、特許文献２には、マウス操作による軌跡に対応したウィンドウが表示され、ウィンドウに含まれた複数のコマンドのうち、ユーザが選択したコマンドを実行するウィンドウ表示制御装置が開示されている。
【先行技術文献】
【特許文献】
【０００７】
【特許文献１】特開平１０−８３１７１号公報（１９９８年３月３１日公開）
【特許文献２】特開平１０−３０７６７４号公報（１９９８年１１月１７日公開）
【発明の概要】
【発明が解決しようとする課題】
【０００８】
しかしながら、上述のような従来技術では、ＰｉｎＰ機能を備えるテレビが、セットトップボックスの画像にＰｉｎＰ表示画像を重畳して表示する場合は想定されていない。
【０００９】
例えば、特許文献１は、コンピュータが備えるＴＶチューナから取得した映像を、コンピュータがＴＶ装置を擬したアイコン内に表示している。また、特許文献２では、表示する画像はコンピュータの画像のみである。
【００１０】
本発明は、上記の課題を解決するためになされたものであり、ＰｉｎＰ機能を備える表示装置が、外部機器の画像にＰｉｎＰ表示画像を重畳して表示する場合において、ユーザによる表示装置の操作の利便性を向上させることのできる外部機器を実現することにある。
【課題を解決するための手段】
【００１１】
上記の課題を解決するために、本発明の一態様に係る外部機器は、ＰｉｎＰ表示可能な表示装置に、画像を提供する外部機器であって、当該外部機器が提供する画像に対して上記表示装置が重畳して表示するＰｉｎＰ表示画像の座標を取得する座標取得手段と、当該外部機器が提供する画像に含まれるカーソルの、上記ＰｉｎＰ表示画像に対する相対的な動きを判別する判別手段と、上記判別手段による判別結果に基づいて、予め定められた複数の処理のうち何れかの処理を選択する選択手段と、上記選択手段が選択した処理を実行するよう上記表示装置に通知する通知手段と、を備えている。
【００１２】
また、上記の課題を解決するために、本発明の一態様に係る表示装置は、第１の画像に第２の画像を重畳して表示するＰｉｎＰ表示可能な表示装置であって、当該表示装置が表示する上記第２の画像の座標を取得する座標取得手段と、上記第１の画像に含まれるカーソルの、上記第２の画像に対する相対的な動きを判別する判別手段と、上記判別手段による判別結果に基づいて、予め定められた複数の処理のうち何れかの処理を選択する選択手段と、上記選択手段が選択した処理を実行する実行手段と、を備えている。
【発明の効果】
【００１３】
本発明の一態様によれば、ＰｉｎＰ機能を備える表示装置が、外部機器の画像にＰｉｎＰ表示画像を重畳して表示する場合において、ユーザによる表示装置の操作の利便性を向上させることができる。
【図面の簡単な説明】
【００１４】
【図１】本発明の実施形態１に係る表示システムの構成を示すブロック図である。
【図２】本発明の実施形態１に係る表示システムの外観を示す図である。
【図３】本発明の実施形態１に係る表示システムの処理の流れを示すシーケンス図である。
【図４】本発明の実施形態１に係る表示システムにおいて、カーソルがＰｉｎＰ表示画像と重なった場合に、テレビが表示する画像である。
【図５】本発明の実施形態２に係る表示システムにおいて、カーソルがＰｉｎＰ表示画像と重なった場合に、テレビが表示する画像である。
【図６】本発明の実施形態３に係る表示システムの処理の流れを示すシーケンス図である。
【図７】本発明の実施形態４に係る表示システムの処理の流れを示すシーケンス図である。
【図８】本発明の実施形態４に係る表示システムにおいて、テレビが表示する画像であり、（ａ）は、サイズが小さくなったカーソルを含む画像であり、（ｂ）は、色が変更されたカーソルを含む画像であり、（ｃ）は、形状が変更されたカーソルを含む画像である。
【図９】本発明の実施形態５に係る表示システムの処理の流れを示すシーケンス図である。
【図１０】本発明の実施形態５に係る表示システムにおいて、テレビが表示する画像であり、（ａ）は、ユーザがＰｉｎＰ表示画像の上辺を横切ってカーソルをＰｉｎＰ表示画像に重ねる様子を示す図であり、（ｂ）は、（ａ）の操作により実際に表示されるカーソルを示す図である。
【図１１】本発明の実施形態５に係る表示システムにおいて、テレビが表示する画像であり、（ａ）は、ユーザがＰｉｎＰ表示画像の左辺を横切ってカーソルをＰｉｎＰ表示画像に重ねる様子を示す図であり、（ｂ）は、（ａ）の操作により実際に表示されるカーソルを示す図である。
【図１２】図１２は、本発明の実施形態６に係る表示システム１において、ＭＥＮＵを表示させたときにテレビが表示する画像であり、（ａ）は、テレビが、メイン画面（ＰｉｎＰ表示画像の背景）としてテレビ画像を表示し、ＰｉｎＰ表示画像として、ＳＴＢから入力される画像を表示する場合を示す図であり、（ｂ）は、テレビがメイン画面（ＰｉｎＰ表示画像の背景）としてＳＴＢから入力される画像を表示し、ＰｉｎＰ表示画像として、テレビ画像を表示する場合を示す図である。
【図１３】本発明の実施形態６に係る表示システムにおいて、テレビが有する座標系を示す図であり、（ａ）は、ＳＴＢの画像内の座標系を示す図であり、（ｂ）は、ＰｉｎＰ表示画像内のローカル座標系を示す図であり、（ｃ）は（ａ）の座標系の例を示す図である。
【図１４】本発明の実施形態６に係る表示システムの処理の流れを示すシーケンス図である。
【図１５】本発明の実施形態６に係る表示システムにおいて、カーソルがＰｉｎＰ表示画像と重なった場合に、テレビが表示する画像である。
【図１６】本発明の実施形態７に係る表示システムの処理の流れを示すシーケンス図である。
【図１７】本発明の実施形態８に係る表示システムの処理の流れを示すシーケンス図である。
【図１８】本発明の実施形態１０に係る表示システムの処理の流れを示すシーケンス図である。
【図１９】本発明の実施形態１０に係る表示システムにおいて、テレビが表示する画像であり、（ａ）は、テレビが受信する放送波のチャンネルをアップするカーソルの動きを示す図であり、（ｂ）は（ａ）の処理が実行された後のテレビの画像である。
【図２０】本発明の実施形態１０に係る表示システムにおいて、テレビが表示する画像であり、（ａ）は、テレビがＭＥＮＵを表示するカーソルの動きを示す図であり、（ｂ）は（ａ）の処理が実行された後のテレビの画像である。
【図２１】本発明の実施形態１０に係る表示システムにおいて、テレビが表示する画像であり、（ａ）は、テレビがＰｉｎＰ表示画像の位置を変更するカーソルの動きを示す図であり、（ｂ）は（ａ）の処理が実行された後のテレビの画像である。
【図２２】本発明の実施形態１０に係る表示システムにおいて、テレビが表示する画像であり、（ａ）は、テレビがＰｉｎＰ表示画像のサイズを変更するカーソルの動きを示す図であり、（ｂ）は（ａ）の処理が実行された後のテレビの画像である。
【図２３】本発明の実施形態１０に係る表示システムにおいて、テレビが表示する画像であり、（ａ）は、テレビが操作ツールバーを表示するカーソルの動きを示す図であり、（ｂ）は、（ａ）の処理が実行された後のテレビの画像である。
【図２４】本発明の実施形態１０に係る表示システムにおいて、テレビが表示する画像であり、（ａ）は、テレビが音量バーを表示するカーソルの動きを示す図であり、（ｂ）は、（ａ）の処理が実行された後のテレビの画像であり、（ｃ）は、（ｂ）の処理が実行された後に音量を上げるカーソルの動きを示す図であり、（ｄ）、は音量バーの表示が消えた後のテレビの画像である。
【図２５】本発明の実施形態１１に係る表示システムにおいて、テレビが表示する画像であり、（ａ）は、ＰｉｎＰ表示画像にカーソルが入ってきた方向の外枠がハイライト表示された画像であり、（ｂ）は、ＰｉｎＰ表示画像からカーソルが出ていった方向の外枠がハイライト表示された画像であり、（ｃ）は、ＰｉｎＰ表示画像にカーソルが入ってきた方向の外枠がハイライト表示された画像であり、（ｄ）は、（ｃ）の後にカーソルがＰｉｎＰ表示画像の領域に停止し、外枠が違う色にハイライト表示された画像である。
【図２６】本発明の実施形態１２に係るテレビの構成を示すブロック図である。
【図２７】本発明の実施形態１２に係るテレビの外観を示す図である。
【図２８】本発明の実施形態１３において、ユーザの操作を受け付ける遠隔操作装置の正面図である。
【図２９】（ａ）は、本発明の実施形態１３におけるテレビまたは表示装置と、リモコンとの外観を示す図であり、（ｂ）は、テレビまたは表示装置の周辺に光源１１０が配置されている場合の外観を示す図である。
【図３０】本発明の実施形態１３における遠隔操作装置の構成を示すブロック図である。
【発明を実施するための形態】
【００１５】
〔実施形態１〕
以下、本発明の実施の形態について、詳細に説明する。
【００１６】
（表示システム１の構成）
図１は、本発明の実施形態１に係る表示システム１の構成を示すブロック図である。
【００１７】
図１に示すように、表示システム１は、マウス２、テレビ１０（表示装置）、およびセットトップボックス２０（以下、ＳＴＢ２０と称する、外部機器）によって構成されている。
【００１８】
表示システム１は、ユーザがマウス２を使ってＳＴＢ２０を操作し、テレビ１０が、ＳＴＢ２０から出力された画像にテレビ１０の画像を重畳してＰｉｎＰ表示するシステムである。
【００１９】
マウス２は、ユーザがＳＴＢ２０を操作するための機器である。マウス２とＳＴＢ２０とは、有線またはＢｌｕｅｔｏｏｔｈ（登録商標）といった無線で接続されている。
【００２０】
テレビ１０は、外部から取得した画像に、放送波を受信して得られる画像をＰｉｎＰ表示画像として重畳するＰｉｎＰ(Picture In Picture)の機能を備えている。また、ＳＴＢ２０から処理情報を取得して、処理情報が示す処理をテレビ１０は実行することができる。処理情報が示す処理とは、例えば、テレビ１０が受信する放送波のチャンネルを変更する処理や、ＰｉｎＰ表示画像の位置を変更する処理などがある。
【００２１】
ＳＴＢ２０は、ＯＳ（Operating System）を搭載しているので、アプリケーションを実行でき、スマートフォンやタブレットのように使用することができる。また、画像および処理情報を、テレビ１０に出力することができる。
【００２２】
（テレビ１０の構成）
図１に示すように、テレビ１０は、入力部１１、設定変更部１２、制御情報通信部１３、ＰｉｎＰ処理部１４、カーソル位置処理部１５、外部画像入力部１６、画像処理部１７、および表示部１８によって構成されている。
【００２３】
入力部１１は、ユーザから入力を受け付けた情報を設定変更部１２に出力する。ユーザから入力を受け付ける手段として、リモートコントローラによる入力や、テレビ１０が本体に備えているキーによる入力などがある。
【００２４】
設定変更部１２は、テレビ１０の設定を変更する処理を行う。テレビ１０の設定を変更する処理とは、例えば、テレビ１０が受信する放送波のチャンネルを変更する処理や、ＰｉｎＰ表示画像の位置を変更する処理などがある。
【００２５】
制御情報通信部１３は、テレビ１０の処理に関する処理情報を外部機器に出力または外部機器から取得する。処理情報には、設定変更部１２が処理するテレビ１０の設定に関する情報に限らず、テレビ１０が表示する画像に関する情報も含まれる。
【００２６】
ＰｉｎＰ処理部１４は、テレビ１０が有する機能であるＰｉｎＰが実行されたときに、ＰｉｎＰ表示画像を表示する位置の座標値およびＰｉｎＰ表示画像の大きさについての処理を行う。
【００２７】
カーソル位置処理部１５は、制御情報通信部１３の取得した情報がＳＴＢ２０のカーソルの位置に関する情報であった場合に、カーソルの位置に関する処理を行う。カーソルの位置に関する処理とは、例えば、取得したカーソルの位置を示すカーソル座標値を、異なる座標系の座標値に変換する処理がある。
【００２８】
外部画像入力部１６は、ＳＴＢ２０から画像を取得する。画像を取得するインターフェースとして、例えばＨＤＭＩ（登録商標）（High Definition Multimedia Interface）などがある。
【００２９】
画像処理部１７は、取得した画像や情報から、テレビ１０に表示する画像を生成する処理を行う。テレビ１０に表示する画像を生成する処理とは、例えば、ＳＴＢ２０の画像にＰｉｎＰ表示画像を重畳する処理や、カーソル座標値の示す位置にカーソルを表示する処理である。
【００３０】
表示部１８は、取得した画像を表示する。表示するデバイスとして、液晶、有機ＥＬ（Electro Luminescence）などが挙げられる。
【００３１】
（ＳＴＢ２０の構成）
図１に示すように、ＳＴＢ２０は、外部機器接続部２１、カーソル位置処理部２２（判定手段、選択手段、ボタン押下検出手段）、制御情報通信部２３（座標取得手段、通知手段）、画像処理部２４、および画像出力部２５によって構成されている。
【００３２】
外部機器接続部２１は、ＳＴＢ２０に接続する外部機器のインターフェースである。インターフェースとしては、例えば、ＵＳＢ（Universal Serial Bus）に準拠したものが挙げられる。
【００３３】
カーソル位置処理部２２は、ＳＴＢ２０のカーソル位置に関する処理を実行する。カーソル位置に関する処理とは、例えば、カーソル座標値を出力する処理や、前述したテレビ１０のカーソル位置処理部１５が行う座標値を変換する処理も含まれる。また、カーソルの位置が所定の位置に含まれるか否かを判定する処理や、カーソルの位置に基づいて、複数の処理の中から何れかの処理を選択する処理も含まれる。
【００３４】
制御情報通信部２３は、テレビ１０の処理に関する処理情報を取得または処理情報をテレビ１０に出力する。
【００３５】
画像処理部２４は、取得した画像および情報を処理して、外部の表示装置に表示する画像を生成する。取得する情報には、例えば、カーソルの座標値や、ＰｉｎＰ表示画像の座標値がある。
【００３６】
画像出力部２５は、テレビ１０に表示する画像を出力する。
【００３７】
（表示システム１の外観）
図２は、本発明の実施形態１に係る表示システム１の外観を示す図である。前述したように、表示システム１は、マウス２、テレビ１０、およびＳＴＢ２０によって構成されている。テレビ１０が表示する画像には、ＳＴＢ２０の画像３１と、ＰｉｎＰ表示画像３２と、カーソル３３とが表示されている。ユーザはマウス２を使ってカーソル３３を動かすことができる。また、表示システム１において、マウス２以外の装置（例えば、後述する実施形態における遠隔操作装置２ａなど）から操作を受け付ける構成であっても、テレビ１０はカーソル３３を表示しているため、ユーザの操作性が向上する。すなわち、表示システム１では、テレビ１０の画面を直接タッチして入力する構成とは異なり、テレビ１０にカーソルが表示されるため、ユーザはカーソル３３を使って操作することができるので、ユーザの操作性が向上する。
【００３８】
（表示システム１の処理）
図３は、本発明の実施形態１に係る表示システム１の処理の流れを示すシーケンス図である。表示システム１の処理について、図３を用いて説明する。
【００３９】
まず、表示システム１の処理は、テレビ１０がＰｉｎＰを実行できる状態、すなわち、ＳＴＢ２０から画像を取得している状態から始まる。ＳＴＢ２０からの画像は、画像出力部２５が出力し、外部画像入力部１６が取得する。この状態から、テレビ１０の設定変更部１２は、ＰｉｎＰを実行する設定になっているか否かを判定する（ステップＳ１）。ＰｉｎＰを実行するか否かはユーザによって設定されるため、入力部１１から取得する情報により、設定変更部１２はＰｉｎＰを実行する設定になっているか否かを判定できる。
【００４０】
ステップＳ１において、「ＰｉｎＰを実行する設定になっていない」と判定された場合（ステップＳ１：Ｎｏ）、テレビ１０は、引き続きステップＳ１を繰り返し、ＰｉｎＰを実行する設定になっているか否かを判定する。
【００４１】
一方、ステップＳ１において、「ＰｉｎＰを実行する設定になっている」と判定された場合（ステップＳ１：Ｙｅｓ）、設定変更部１２は、制御情報通信部１３に、ＰｉｎＰ表示画像の座標を出力する命令を示す信号を出力する。制御情報通信部１３は、ＰｉｎＰ表示画像の座標を出力する命令を示す信号を取得すると、ＰｉｎＰ処理部１４から、ＰｉｎＰ表示画像の座標値を取得する。取得する座標値は、ＰｉｎＰ表示画像が表示されている位置と大きさが分かるように、ＰｉｎＰ表示画像の四隅それぞれの座標値である。そして、テレビ１０の制御情報通信部１３は、取得した座標値をＳＴＢ２０に出力する（ステップＳ２）。ＳＴＢ２０の制御情報通信部２３は、出力された座標値を取得する（ステップＳ３）。
【００４２】
なお、制御情報通信部１３が出力する情報は、上述したＰｉｎＰ表示画像の四隅それぞれの座標値の代わりに、例えば、ＰｉｎＰ表示画像の左上の座標値およびＰｉｎＰ表示画像の大きさといった、ＰｉｎＰ表示画像が表示されている位置と大きさが分かる情報であればよい。
【００４３】
続いて、ＳＴＢ２０の制御情報通信部２３は、取得した座標値を、カーソル位置処理部２２に出力する。座標値を取得したカーソル位置処理部２２は、取得した座標値から、テレビ１０に表示されているＰｉｎＰ表示画像が、画像出力部２５から出力しているＳＴＢ２０の画像のどの部分に表示されているかが分かる。そして、カーソル位置処理部２２は、取得した座標値と、カーソルの位置を示すカーソル座標値とから、ＰｉｎＰ表示画像とカーソルとが重なっているか否かを判定する（ステップＳ４）。
【００４４】
ステップＳ４において、「ＰｉｎＰ表示画像とカーソルとが重なっている」と判定された場合（ステップＳ４：Ｙｅｓ）、カーソル位置処理部２２は、ＰｉｎＰ表示画像の座標値と、ＰｉｎＰ表示画像とカーソルとが重なっていることを示す信号とを、画像処理部２４に出力する。画像処理部２４は、取得したＰｉｎＰ表示画像の座標値と、ＰｉｎＰ表示画像とカーソルとが重なっていることを示す信号とを取得すると、ＰｉｎＰ表示画像の座標値が示す領域の外枠をハイライト表示し、ＰｉｎＰ表示画像が強調表示されるように画像を修正する（ステップＳ５）。そして、画像処理部２４は、生成した画像を画像出力部２５に出力する。画像出力部２５は、取得した画像をテレビ１０に出力する（ステップＳ６）。テレビ１０の外部画像入力部１６は、出力された画像を取得する（ステップＳ７）。
【００４５】
一方、ステップＳ４において、「ＰｉｎＰ表示画像とカーソルとは重なっていない」と判定された場合（ステップＳ４：Ｎｏ）、ＳＴＢ２０の処理はステップＳ６に進む。
【００４６】
画像を取得したテレビ１０の外部画像入力部１６は、取得した画像を画像処理部１７に出力する。画像処理部１７は、取得した画像にテレビ１０の画像を重畳してＰｉｎＰを実行し、表示部１８に出力する。ＰｉｎＰを実行する際に、ＰｉｎＰ処理部１４は、ＰｉｎＰ表示画像の位置の座標値およびＰｉｎＰ表示画像の大きさを画像処理部１７に出力し、画像処理部１７は、取得した座標値の位置に、取得した大きさでＰｉｎＰ表示画像を重畳する。そして、表示部１８は、取得した画像を表示する（ステップＳ８）。
【００４７】
続いて、テレビ１０の制御情報通信部１３は、ＰｉｎＰを実行する設定か否かを示す設定情報を、ＳＴＢ２０に出力する（ステップＳ９）。ＳＴＢ２０の制御情報通信部２３は、出力された設定情報を取得する（ステップＳ１０）。
【００４８】
そして、ＳＴＢ２０の制御情報通信部２３は、取得した設定情報をカーソル位置処理部２２に出力する。カーソル位置処理部２２は、設定情報を取得し、ＰｉｎＰを実行する設定になっているか否かを判定する（ステップＳ１１）。
【００４９】
ステップＳ１１において、「ＰｉｎＰを実行する設定になっている」と判定された場合（ステップＳ１１：Ｙｅｓ）、カーソル位置処理部２２は、再びＰｉｎＰ表示画像とカーソルとが重なっているか否かを判定するため、ステップＳ４に戻る。
【００５０】
一方、ステップＳ１１において、「ＰｉｎＰを実行しない設定になっている」と判定された場合（ステップＳ１１：Ｎｏ）、図３の処理は終了する。
【００５１】
なお、ステップＳ９において、ＰｉｎＰの設定情報は毎回出力する必要はなく、ＰｉｎＰを実行しない設定になった場合のみ設定情報を出力してもよい。つまり、ＳＴＢ２０は、テレビ１０がＰｉｎＰを実行する設定になっている間はステップＳ４を繰り返し、ＰｉｎＰを実行しない設定になったときに、処理を終了するとしてもよい。
【００５２】
ここで、カーソル３３とＰｉｎＰ表示画像３２とが重なっている場合に、テレビ１０に表示される画像を、図４に示す。
【００５３】
図４は、本発明の実施形態１に係る表示システム１において、カーソル３３がＰｉｎＰ表示画像３２と重なった場合に、テレビ１０が表示する画像である。図４に示すように、カーソル３３（実際は不表示）とＰｉｎＰ表示画像３２とが重なると、カーソル３３が表示されなくなる。しかし、ＰｉｎＰ表示画像３２の外枠をハイライト表示することにより、ユーザはカーソル３３とＰｉｎＰ表示画像３２とが重なっていると認識することができる。
【００５４】
このように、実施形態１において、ＳＴＢ２０は、ＰｉｎＰ表示画像とカーソルとが重なったときに、ＰｉｎＰ表示画像の外枠をハイライト表示する。したがって、ユーザは、ＰｉｎＰ表示画像とカーソルとが重なっていると認識できるため、ＰｉｎＰ表示画像とカーソルとが重なってカーソルが表示されなくなっても、カーソルの位置を見失うことがない。
【００５５】
〔実施形態２〕
本発明の他の実施形態について、説明する。なお、説明の便宜上、前記実施形態にて説明した部材と同じ機能を有する部材については、同じ符号を付記し、その説明を省略する。
【００５６】
実施形態１の図３のステップＳ５において、ＳＴＢ２０は、ＰｉｎＰ表示画像の外枠をハイライト表示したが、実施形態２では、カーソル座標値に対応する部分のみ、ハイライト表示する。
【００５７】
具体的には、ステップＳ５において、カーソル位置処理部２２は、画像処理部２４に、カーソル座標値と、ＰｉｎＰ表示画像の座標値と、ＰｉｎＰ表示画像とカーソルとが重なっていることを示す信号に加えて、カーソル座標値を出力する。画像処理部２４は、取得したＰｉｎＰ表示画像の座標値と、ＰｉｎＰ表示画像とカーソルとが重なっていることを示す信号とを取得すると、ＰｉｎＰ表示画像の座標値が示す領域の外枠をハイライト表示するが、取得したカーソル座標値から、カーソル座標値に対応する部分のみ、外枠をハイライト表示する。上記の処理により、カーソル座標値に対応する部分のみ、外枠をハイライト表示された画像を、図５に示す。
【００５８】
図５は、本発明の実施形態２に係る表示システム１において、カーソル３３がＰｉｎＰ表示画像３２と重なった場合に、テレビ１０が表示する画像である。図５に示すように、カーソル３３（実際は不表示）とＰｉｎＰ表示画像３２とが重なると、カーソル３３が表示されなくなる。しかし、ＰｉｎＰ表示画像３２のうち、カーソル３３の座標値に対応する部分のみ、ハイライト表示されている。
【００５９】
より具体的には、ＰｉｎＰ表示画像に隠れたカーソルの座標であってＳＴＢ２０側で管理する座標を、（Ｘ０、Ｙ０）としたとき、画像処理部２４は、ＰｉｎＰ表示領域の縦方向に延伸する外枠のうち、縦方向座標がＹ０である部分の近傍をハイライト表示し、ＰｉｎＰ表示領域の横方向に延伸する外枠のうち、横方向座標がＹ０である部分の近傍をハイライト表示する。
【００６０】
このように、実施形態２において、ＳＴＢ２０は、カーソル座標値に対応する部分のみ、外枠をハイライト表示する。したがって、ユーザは、カーソルがＰｉｎＰ表示画像と重なっているということだけでなく、ＰｉｎＰ表示画像のどこにカーソルがあるのかを認識することができる。
【００６１】
〔実施形態３〕
本発明の他の実施形態について、説明する。なお、説明の便宜上、前記実施形態にて説明した部材と同じ機能を有する部材については、同じ符号を付記し、その説明を省略する。
【００６２】
上述の実施形態１および２において、ＳＴＢ２０がＰｉｎＰ表示画像３２の外枠をハイライト表示した画像を生成したが、実施形態３では、この処理をテレビ１０が行う。以下に、実施形態３について、図６を用いて説明する。
【００６３】
図６は、本発明の実施形態１に係る表示システム１の処理の流れを示すシーケンス図である。
【００６４】
テレビ１０がＰｉｎＰを実行する設定になっている場合に、テレビ１０がＰｉｎＰ表示画像の座標値をＳＴＢ２０に出力し、ＳＴＢ２０がＰｉｎＰ表示画像の座標を取得し、カーソル位置処理部２２がＰｉｎＰ表示領域とカーソルとが重なっているか否かを判定するステップＳ１〜ステップＳ４は上述した処理と同じため、省略する。
【００６５】
ステップＳ４において、「ＰｉｎＰ表示画像とカーソルとが重なっている」と判定された場合（ステップＳ４：Ｙｅｓ）、カーソル位置処理部２２は、ＰｉｎＰ表示画像とカーソルとが重なっていることを示す信号を、制御情報通信部２３に出力する。制御情報通信部２３は、取得した信号を、テレビ１０に出力する（ステップＳ２１）。テレビ１０の制御情報通信部１３は、出力された信号を取得する（ステップＳ２２）。制御情報通信部１３は、取得した信号を、ＰｉｎＰ処理部１４に出力する。
【００６６】
一方、ステップＳ４において、「ＰｉｎＰ表示画像とカーソルとが重なっていない」と判定された場合（ステップＳ４：Ｎｏ）、ＳＴＢ２０はステップＳ２３の処理に進む。
【００６７】
続いて、ＳＴＢ２０の画像処理部２４は、出力する画像を画像出力部２５に出力する。画像出力部２５は、取得した画像を、テレビ１０に出力する（ステップＳ２３）。テレビ１０の外部画像入力部１６は、出力された画像を取得する（ステップＳ２４）。外部画像入力部１６は、取得した画像を、画像処理部１７に出力する。
【００６８】
画像処理部１７は、ＰｉｎＰ処理部１４から取得した座標値および大きさに基づいて、取得した画像にＰｉｎＰ表示画像を重畳するが、その際に、ＰｉｎＰ処理部１４から、ＰｉｎＰ表示画像とカーソルとが重なっていることを示す信号も取得する。画像処理部１７はＰｉｎＰ表示画像とカーソルとが重なっていることを示す信号を取得すると、ＰｉｎＰ表示画像の外枠をハイライト表示してＰｉｎＰを実行する。そして、生成した画像を表示部１８に出力し、表示部１８は取得した画像を表示する（ステップＳ２５）。
【００６９】
そして、テレビ１０がＰｉｎＰの設定情報を出力し、ＳＴＢ２０がＰｉｎＰの設定情報を取得して、ＰｉｎＰを実行する設定になっているか否かを判定するステップＳ９〜ステップＳ１１は上述した処理と同じため、省略する。
【００７０】
このように、実施形態３において、ＰｉｎＰ表示画像とカーソルとが重なっていることを示す信号を、テレビ１０がＳＴＢ２０から取得することにより、実施形態１と同様、ユーザは、ＰｉｎＰ表示画像とカーソルとが重なっていると認識できるため、ＰｉｎＰ表示画像とカーソルとが重なってカーソルが表示されなくなっても、カーソルの位置を見失うことがない。
【００７１】
（実施形態１と実施形態３との違い）
上述したように、実施形態１と実施形態３とは、奏する効果は同じだが、ＰｉｎＰ表示画像の外枠のハイライト表示、つまり強調表示をする主体が、ＳＴＢ２０であるかテレビ１０であるかという点において異なる。この違いについて、説明する。
【００７２】
テレビ１０は、一般的にＳＴＢ２０に比べて高価なため、ユーザは頻繁に買い替えることはないと考えられる。また、テレビ１０は、取得した画像を表示するという処理がメインであり、したがって搭載するメモリの容量も少なく、汎用性がない。
【００７３】
一方、ＳＴＢ２０は、一般的にテレビ１０に比べると安価であり、例えばハイスペックのＳＴＢ２０が発売されると、ユーザはそれを求め買い替えることも考えられる。また、テレビ１０に比べると複雑で多くの処理を実行するため、搭載するメモリの容量も、テレビ１０と比較すると多くなる。
【００７４】
したがって、処理主体がＳＴＢ２０であると、処理主体がテレビ１０である場合と比較して、ＳＴＢ２０の方が買い替えやすいため、ユーザは安価で表示システム１を実現できる。また、ＳＴＢ２０の方がメモリを多く搭載しているため、処理の速度も速くなるというメリットがある。
【００７５】
また、強調表示を行う主体をテレビ１０とした場合には、テレビ１０は、ハイライト表示やカーソルなどを表示するグラフィック表示機能を有する必要があるが、強調表示を行う主体をＳＴＢ２０とした場合には、テレビ１０は、そのようなグラフィック表示機能を有する必要がない。
【００７６】
〔実施形態１〜３に関する付記事項〕
上述の実施形態１〜３において、ＰｉｎＰ表示画像３２の少なくとも一部がハイライト表示される例を挙げたが、実施形態１〜３はこれに限定されるものではない。例えば、ＰｉｎＰ表示画像の明るさを明るくする、またはＰｉｎＰ表示画像以外を暗くするなど、ＰｉｎＰ表示画像が強調表示されるような画像が表示されればよい。
【００７７】
〔実施形態４〕
本発明の他の実施形態について、説明する。なお、説明の便宜上、前記実施形態にて説明した部材と同じ機能を有する部材については、同じ符号を付記し、その説明を省略する。
【００７８】
実施形態１〜３では、ＳＴＢ２０またはテレビ１０が、ＰｉｎＰ表示画像とカーソルとが重なった場合に、ＰｉｎＰ表示画像を強調表示したが、実施形態４においては、ＳＴＢ２０が、カーソルがＰｉｎＰ表示画像に重ならないように規制する。以下に、実施形態４について、図７を用いて説明する。
【００７９】
図７は、本発明の実施形態４に係る表示システム１の処理の流れを示すシーケンス図である。
【００８０】
テレビ１０がＰｉｎＰを実行する設定になっている場合に、テレビ１０がＰｉｎＰ表示画像の座標値をＳＴＢ２０に出力し、ＳＴＢ２０がＰｉｎＰ表示画像の座標を取得し、カーソル位置処理部２２がＰｉｎＰ表示領域とカーソルとが重なっているか否かを判定するステップＳ１〜ステップＳ４は上述した処理と同じため、省略する。
【００８１】
ステップＳ４において、「ＰｉｎＰ表示画像とカーソルとが重なっている」と判定された場合（ステップＳ４：Ｙｅｓ）、カーソル位置処理部２２は、カーソルの座標を更新せず、カーソルの座標をＰｉｎＰ表示画像とカーソルとが重なる前の座標のままにする（ステップＳ３１）。つまり、カーソルがＰｉｎＰ表示画像と重ならないように規制する。そして、カーソル位置処理部２２は、ＰｉｎＰ表示画像とカーソルとが重なったことを示す信号を、画像処理部２４に出力する。画像処理部２４は、ＰｉｎＰ表示画像とカーソルとが重なったことを示す信号を取得すると、画像に表示されるカーソルのサイズを小さくした画像を生成する（ステップＳ３２）。画像処理部２４は、生成した画像を画像出力部２５に出力する。
【００８２】
一方、ステップＳ４において、「ＰｉｎＰ表示画像とカーソルとが重なっていない」と判定された場合（ステップＳ４：Ｎｏ）、ＳＴＢ２０はステップＳ６の処理に進む。
【００８３】
画像出力部２５が画像をテレビ１０に出力し、テレビ１０が取得した画像を出力するステップＳ６〜ステップＳ８、およびテレビ１０がＰｉｎＰの設定情報を出力し、ＳＴＢ２０がＰｉｎＰの設定情報を取得して、ＰｉｎＰを実行する設定になっているか否かを判定するステップＳ９〜ステップＳ１１は上述した処理と同じため、省略する。上記の処理により、カーソルのサイズが小さくされた画像を、図８に示す。
【００８４】
図８は、本発明の実施形態４に係る表示システム１において、テレビ１０が表示する画像であり、（ａ）は、サイズが小さくなったカーソル３４を含む画像である。図８（ａ）に示すように、ユーザがカーソルをＰｉｎＰ表示画像３２と重なるように操作すると、カーソルが重ならないようにカーソルは固定され、動かない。さらに、サイズが小さくなったカーソル３４が表示される。
【００８５】
なお、上述の処理において、画像処理部２４はカーソルのサイズを変更したが、カーソルの色、形状、または点滅させるなどの表示方法を変更してもよく、またこれらを組み合わせてもよい。カーソルの色または形状を変更した画像を、図８（ｂ）および（ｃ）に示す。
【００８６】
図８（ｂ）は、色が変更されたカーソル３５を含む画像であり、（ｃ）は、形状が変更されたカーソル３６を含む画像である。図８（ｂ）および（ｃ）に示すように、図８（ａ）と同様、ユーザがカーソルをＰｉｎＰ表示画像３２と重なるように操作すると、カーソルが重ならないようにカーソルは固定され、動かない。さらに、色が変更されたカーソル３５や、形状が変更されたカーソル３６が表示される。
【００８７】
このように、実施形態４においては、ＰｉｎＰ表示画像とカーソルとが重なることがないため、ユーザはカーソルの位置を見失うことはない。また、動かなくなったカーソルのサイズ、色、形状などを変更することにより、ユーザはカーソルが動かなくなったのは、自らの操作が、カーソルをＰｉｎＰ表示画像に重ねる操作であったと認識することができる。
【００８８】
〔実施形態５〕
本発明の他の実施形態について、説明する。なお、説明の便宜上、前記実施形態にて説明した部材と同じ機能を有する部材については、同じ符号を付記し、その説明を省略する。
【００８９】
実施形態４では、ＰｉｎＰ表示画像とカーソルとが重なると、カーソルが固定されたが、実施形態５では、ＳＴＢ２０は、ＰｉｎＰ表示画像に沿ってカーソルが動くように、カーソルを規制する。実施形態５について、図９を用いて説明する。
【００９０】
図９は、本発明の実施形態５に係る表示システム１の処理の流れを示すシーケンス図である。
【００９１】
テレビ１０がＰｉｎＰを実行する設定になっている場合に、テレビ１０がＰｉｎＰ表示画像の座標値をＳＴＢ２０に出力し、ＳＴＢ２０がＰｉｎＰ表示画像の座標を取得し、カーソル位置処理部２２がＰｉｎＰ表示領域とカーソルとが重なっているか否かを判定するステップＳ１〜ステップＳ４は上述した処理と同じため、省略する。
【００９２】
ステップＳ４において、「ＰｉｎＰ表示画像とカーソルとが重なっている」と判定された場合（ステップＳ４：Ｙｅｓ）、カーソル位置処理部２２は、カーソルがＰｉｎＰ表示画像のどの一辺を横切って重なったのかを判定する。そして、カーソル座標値のうち、横切った一辺に垂直な座標成分を更新せず、その一辺に平行な座標成分のみを更新する（ステップＳ４１）。そして、カーソル位置処理部２２は、カーソル座標値を画像処理部２４に出力する。画像処理部２４は、取得したカーソル座標値に基づいてカーソルを表示した画像を生成し、生成した画像を画像出力部２５に出力する。画像出力部２５は、取得した画像を、テレビ１０に出力する（ステップＳ４２）。
【００９３】
一方、ステップＳ４において、「ＰｉｎＰ表示画像とカーソルとが重なっていない」と判定された場合（ステップＳ４：Ｎｏ）、ＳＴＢ２０はステップＳ４２の処理に進む。
【００９４】
テレビ１０が取得した画像を出力するステップＳ７〜ステップＳ８、およびテレビ１０がＰｉｎＰの設定情報を出力し、ＳＴＢ２０がＰｉｎＰの設定情報を取得して、ＰｉｎＰを実行する設定になっているか否かを判定するステップＳ９〜ステップＳ１１は上述した処理と同じため、省略する。上記の処理により、カーソルがＰｉｎＰ表示画像に沿って動く様子を、図１０に示す。
【００９５】
図１０は、本発明の実施形態５に係る表示システム１において、テレビ１０が表示する画像であり、（ａ）は、ユーザがＰｉｎＰ表示画像３２の上辺を横切ってカーソル３３をＰｉｎＰ表示画像３２に重ねる様子を示す図であり、（ｂ）は、（ａ）の操作により実際に表示されるカーソル３３を示す図である。図１０（ａ）に示すように、ユーザがＰｉｎＰ表示画像３２の上辺を横切ってカーソル３３をＰｉｎＰ表示画像３２に重ねた場合、カーソルの座標のうち、ＰｉｎＰ表示画像３２の上辺に垂直な成分、つまりテレビ１０の縦方向の座標成分は更新されないので、縦方向の位置は変わらない。そして、ＰｉｎＰ表示画像３２の上辺に平行な成分、つまりテレビ１０の横方向の座標成分は更新される。つまり、図１０（ｂ）に示すように、図１０（ａ）のユーザの操作により、カーソル３３は横方向にのみ動く。
【００９６】
図１１は、本発明の実施形態５に係る表示システム１において、テレビ１０が表示する画像であり、（ａ）は、ユーザがＰｉｎＰ表示画像３２の左辺を横切ってカーソル３３をＰｉｎＰ表示画像３２に重ねる様子を示す図であり、（ｂ）は、（ａ）の操作により実際に表示されるカーソル３３を示す図である。図１１（ａ）に示すように、ユーザがＰｉｎＰ表示画像３２の左辺を横切ってカーソル３３をＰｉｎＰ表示画像３２に重ねた場合、カーソルの座標のうち、ＰｉｎＰ表示画像３２の左辺に垂直な成分、つまりテレビ１０の横方向の座標成分は更新されないので、横方向の位置は変わらない。そして、ＰｉｎＰ表示画像３２の左辺に平行な成分、つまりテレビ１０の縦方向の座標成分は更新される。つまり、図１１（ｂ）に示すように、図１１（ａ）のユーザの操作により、カーソル３３は縦方向にのみ動く。
【００９７】
このように、実施形態５においては、ＰｉｎＰ表示画像とカーソルとが重なることがないため、ユーザはカーソルの位置を見失うことはない。
【００９８】
〔実施形態６〕
本発明の他の実施形態について、説明する。なお、説明の便宜上、前記実施形態にて説明した部材と同じ機能を有する部材については、同じ符号を付記し、その説明を省略する。
【００９９】
（座標系の変換）
ここで、実施形態６の説明の前に、テレビ１０が有する座標系について、図１２および１３を用いて説明する。
【０１００】
図１２は、本発明の実施形態６に係る表示システム１において、ＭＥＮＵを表示させたときにテレビ１０が表示する画像であり、（ａ）は、テレビ１０が、メイン画面（ＰｉｎＰ表示画像の背景）としてテレビ画像を表示し、ＰｉｎＰ表示画像３１として、ＳＴＢ２０から入力される画像を表示する場合を示す図であり、（ｂ）は、テレビ１０がメイン画面（ＰｉｎＰ表示画像の背景）としてＳＴＢ２０から入力される画像を表示し、ＰｉｎＰ表示画像３１として、テレビ画像を表示する場合を示す図である。なお、図１２（ａ）および（ｂ）においては、テレビ画像としてＭＥＮＵ画面が表示されている。
【０１０１】
テレビ１０は、ＰｉｎＰを実行したときに、テレビ画像をメイン画面とするか、ＳＴＢ２０から取得した画像をメイン画面とするかを、決めることができる。例えば、テレビ１０がテレビ画像をメイン画面とした場合、ユーザがテレビ１０のＭＥＮＵを表示させると、図１２（ａ）のように、メイン画面上にＭＥＮＵが表示される。一方、テレビ１０がＳＴＢ２０から取得した画像をメイン画面とした場合、ユーザがテレビ１０のＭＥＮＵを表示させると、図１２（ｂ）のように、ＰｉｎＰ表示画像３１上にＭＥＮＵが表示される。
【０１０２】
このように、ＰｉｎＰを実行したときに、テレビ画像をメイン画面とするか、ＳＴＢ２０から取得した画像をメイン画面とするかによって、ＭＥＮＵが表示される位置が変わる。これは、テレビ１０が、ＳＴＢ２０側が管理する座標系であって、ＳＴＢ２０の画像３１内の座標系と、ＰｉｎＰ表示画像３２内のローカル座標系とを有しているからである。これら２つの座標系を図１３に示す。
【０１０３】
図１３は、本発明の実施形態６に係る表示システム１において、テレビ１０が有する座標系を示す図であり、（ａ）は、ＳＴＢ２０の画像３１内の座標系を示す図であり、（ｂ）は、ＰｉｎＰ表示画像３２内のローカル座標系を示す図であり、（ｃ）は（ａ）の座標系の例を示す図である。
【０１０４】
まず、図１３（ａ）に示すように、画像３１内の座標系（ｘ，ｙ）において、各座標を以下のように表記することとする。
【０１０５】
画像３１の左上の座標＝（０，０）
画像３１の右上の座標＝（ＷｉｄｔｈＴＶ，０）
画像３１の左下の座標＝（０，ＨｅｉｇｈｔＴＶ）
画像３１の右下の座標＝（ＷｉｄｔｈＴＶ，ＨｅｉｇｈｔＴＶ）
ＰｉｎＰ画像３２の左上の座標＝（ｘ１，ｙ１）
ＰｉｎＰ画像３２の右上の座標＝（ｘ２，ｙ１）
ＰｉｎＰ画像３２の左下の座標＝（ｘ１，ｙ２）
ＰｉｎＰ画像３２の右下の座標＝（ｘ２，ｙ２）
カーソルの座標＝（ｃｘ、ｃｙ）
続いて、同様に、図１３（ｂ）に示すＰｉｎＰ表示画像３２内のローカル座標系（Ｘ，Ｙ）において、カーソルの座標を以下のように表記することとする。
【０１０６】
カーソルの座標＝（ｃｘＰｉｎＰ，ｃｙＰｉｎＰ）
この場合、テレビ１０のカーソル位置処理部１５は、ＰｉｎＰ表示画像３２内のローカル座標系のカーソルの座標（ｃｘＰｉｎＰ，ｃｙＰｉｎＰ）は、下記の式（１）によって、ＰｉｎＰ表示画像３２内のローカル座標系から変換できる。
【０１０７】
【数１】
2014209335.tif 000003
【０１０８】
上記の式を用いて、テレビ１０のカーソル位置処理部１５は、図１３（ｃ）のＰｉｎＰ表示画像３２内のカーソルの座標（ｃｘＰｉｎＰ，ｃｙＰｉｎＰ）を、画像３１内の座標系（ｘ，ｙ）の各座標の値から求める。
【０１０９】
画像３１の左上の座標＝（０，０）
画像３１の右上の座標＝（ＷｉｄｔｈＴＶ，０）＝（１９２０，０）
画像３１の左下の座標＝（０，ＨｅｉｇｈｔＴＶ）＝（０，１０８０）
画像３１の右下の座標＝（１９２０，１０８０）
ＰｉｎＰ画像３２の左上の座標＝（ｘ１，ｙ１）＝（１２４０，４４０）
ＰｉｎＰ画像３２の右上の座標＝（ｘ２，ｙ１）＝（１６４０，４４０）
ＰｉｎＰ画像３２の左下の座標＝（ｘ１，ｙ２）＝（１２４０，６４０）
ＰｉｎＰ画像３２の右下の座標＝（ｘ２，ｙ２）＝（１６４０，６４０）
カーソルの座標＝（ｃｘ、ｃｙ）＝（１４４０、５４０）
上記の値を式（１）に代入すると、以下の（２）になる。
【０１１０】
【数２】
2014209335.tif 000004
【０１１１】
したがって、テレビ１０のカーソル位置処理部１５は、ＰｉｎＰ表示画像３２内のカーソルの座標（ｃｘＰｉｎＰ，ｃｙＰｉｎＰ）＝（９６０，５４０）と算出できる。
【０１１２】
このように、ＳＴＢ２０の画像３１内の座標系（ｘ，ｙ）と、ＰｉｎＰ表示画像３２内のローカル座標系（Ｘ，Ｙ）との２つの座標系が存在しても、テレビ１０とＳＴＢ２０とで使用するデータは、どちらの座標系のデータを使用してもよい。また、この座標変換は、テレビ１０のカーソル位置処理部１５が行ったが、ＳＴＢ２０のカーソル位置処理部２２においても、実行される。
【０１１３】
（実施形態６の詳細）
上述した実施形態においては、ＰｉｎＰ表示画像上にはカーソルは表示されなかったが、実施形態６においては、ＰｉｎＰ表示画像とカーソルとが重なった場合、テレビ１０がＰｉｎＰ表示画像上にカーソルを表示する。以下に、実施形態６について、図１４を用いて説明する。
【０１１４】
図１４は、本発明の実施形態６に係る表示システム１の処理の流れを示すシーケンス図である。実施形態６について、図１４を用いて説明する。なお、実施形態６においては、テレビ１０が、メイン画面としてテレビ画像を表示するため、座標系を変換する必要はない。
【０１１５】
テレビ１０がＰｉｎＰを実行する設定になっている場合に、テレビ１０がＰｉｎＰ表示画像の座標値をＳＴＢ２０に出力し、ＳＴＢ２０がＰｉｎＰ表示画像の座標を取得し、カーソル位置処理部２２がＰｉｎＰ表示領域とカーソルとが重なっているか否かを判定するステップＳ１〜ステップＳ４は上述した処理と同じため、省略する。
【０１１６】
ステップＳ４において、「ＰｉｎＰ表示画像とカーソルとが重なっている」と判定された場合（ステップＳ４：Ｙｅｓ）、カーソル位置処理部２２は、カーソル座標値を制御情報通信部２３に出力する。制御情報通信部２３は、取得したカーソル座標値を、テレビ１０に出力する（ステップＳ５１）。テレビ１０の制御情報通信部１３は、出力されたカーソル座標値を取得する（ステップＳ５２）。そして、制御情報通信部１３は取得したカーソル座標値をカーソル位置処理部１５に出力する。上述したように、座標系を変換する必要はないので、カーソル位置処理部１５は、取得したカーソル座標値を、そのまま画像処理部１７に出力する。
【０１１７】
一方、ステップＳ４において、「ＰｉｎＰ表示画像とカーソルとが重なっていない」と判定された場合（ステップＳ４：Ｎｏ）、ＳＴＢ２０はステップＳ５３の処理に進む。
【０１１８】
続いて、ＳＴＢ２０の画像処理部２４は、生成した画像を画像出力部２５に出力する。画像出力部２５は、取得した画像をテレビ１０に出力する（ステップＳ５３）。テレビ１０の外部画像入力部１６は、出力された画像を取得する（ステップＳ５４）。外部画像入力部１６は、取得した画像を画像処理部１７に出力する。
【０１１９】
カーソル座標値と画像とを取得した画像処理部１７は、まず、取得した画像にＰｉｎＰ表示画像を重畳する。そして、取得したカーソル座標値の位置にカーソルを表示して、画像を生成し、表示部１８に出力する。表示部１８は、取得した画像を表示する（ステップＳ５５）。
【０１２０】
そして、テレビ１０がＰｉｎＰの設定情報を出力し、ＳＴＢ２０がＰｉｎＰの設定情報を取得して、ＰｉｎＰを実行する設定になっているか否かを判定するステップＳ９〜ステップＳ１１は上述した処理と同じため、省略する。上記の処理により、カーソルがＰｉｎＰ表示画像上に表示された画像を、図１５に示す。
【０１２１】
図１５は、本発明の実施形態６に係る表示システム１において、カーソル３３がＰｉｎＰ表示画像３２と重なった場合に、テレビ１０が表示する画像である。
【０１２２】
図１５に示すように、カーソル３３とＰｉｎＰ表示画像３２とが重なると、テレビ１０がＰｉｎＰ表示画像３２の上からカーソル３３を表示するので、カーソル３３がＰｉｎＰ表示画像３２と重なって、カーソル３３が表示されないということはない。
【０１２３】
このように、実施形態６において、ＰｉｎＰ表示画像とカーソルとが重なっても、カーソルはＰｉｎＰ表示画像の上から表示されるため、ユーザはカーソルの位置を見失うことはない。また、ユーザが操作した通りにカーソルが動くので、本来はＰｉｎＰ表示画像とカーソルとが重なると、カーソルが表示されないということを意識することもなく、ＰｉｎＰ表示画像を気にせずにカーソルを操作することができる。
【０１２４】
〔実施形態７〕
本発明の他の実施形態について、説明する。なお、説明の便宜上、前記実施形態にて説明した部材と同じ機能を有する部材については、同じ符号を付記し、その説明を省略する。
【０１２５】
実施形態６において、テレビ１０は、メイン画面としてテレビ画像を表示したが、実施形態７では、テレビ１０はメイン画面としてＳＴＢ２０から取得した画像を表示する。実施形態７について、図１６を用いて説明する。
【０１２６】
図１６は、本発明の実施形態７に係る表示システム１の処理の流れを示すシーケンス図である。
【０１２７】
テレビ１０がＰｉｎＰを実行する設定になっている場合に、テレビ１０がＰｉｎＰ表示画像の座標値をＳＴＢ２０に出力し、ＳＴＢ２０がＰｉｎＰ表示画像の座標を取得し、カーソル位置処理部２２がＰｉｎＰ表示領域とカーソルとが重なっているか否かを判定するステップＳ１〜ステップＳ４は上述した処理と同じため、省略する。
【０１２８】
ステップＳ４において、「ＰｉｎＰ表示画像とカーソルとが重なっている」と判定された場合（ステップＳ４：Ｙｅｓ）、カーソル位置処理部２２は、カーソル座標値を制御情報通信部２３に出力する。制御情報通信部２３は、取得したカーソル座標値を、テレビ１０に出力する（ステップＳ６１）。テレビ１０の制御情報通信部１３は、出力されたカーソル座標値を取得する（ステップＳ６２）。そして、制御情報通信部１３は取得したカーソル座標値をカーソル位置処理部１５に出力する。
【０１２９】
上述したように、テレビ１０はメイン画面としてＳＴＢ２０から取得した画像を表示している。カーソル位置処理部１５が取得したカーソル座標値は、ＳＴＢ２０の画像内の座標系における座標値のため、ＰｉｎＰ表示画像内のローカル座標系の座標値に変換する必要がある。したがって、カーソル位置処理部１５は、取得したカーソル座標値を、ローカル座標系の座標値に変換する（ステップＳ６３）。そして、変換したカーソル座標値を、画像処理部１７に出力する。
【０１３０】
一方、ステップＳ４において、「ＰｉｎＰ表示画像とカーソルとが重なっていない」と判定された場合（ステップＳ４：Ｎｏ）ＳＴＢ２０は、ステップＳ６４の処理に進む。
【０１３１】
続いて、ＳＴＢ２０の画像処理部２４は、生成した画像を画像出力部２５に出力する。画像出力部２５は、取得した画像をテレビ１０に出力する（ステップＳ６４）。テレビ１０の外部画像入力部１６は、出力された画像を取得する（ステップＳ６５）。外部画像入力部１６は、取得した画像を画像処理部１７に出力する。
【０１３２】
カーソル座標値と画像とを取得した画像処理部１７は、まず、取得した画像にＰｉｎＰ表示画像を重畳する。そして、取得したカーソル座標値の位置に、カーソルを表示して、画像を生成し、表示部１８に出力する。表示部１８は、取得した画像を表示する（ステップＳ６６）。
【０１３３】
そして、テレビ１０がＰｉｎＰの設定情報を出力し、ＳＴＢ２０がＰｉｎＰの設定情報を取得して、ＰｉｎＰを実行する設定になっているか否かを判定するステップＳ９〜ステップＳ１１は上述した処理と同じため、省略する。
【０１３４】
このように、実施形態６においては、テレビ１０がメイン画面としてＳＴＢ２０から取得した画像を表示する場合においても、座標値を変換することにより、実施形態６と同様、ＰｉｎＰ表示画像とカーソルとが重なっても、カーソルはＰｉｎＰ表示画像の上から表示される。したがって、ユーザはカーソルの位置を見失うこともなく、ＰｉｎＰ表示画像を気にせずにカーソルを操作することができる。
【０１３５】
なお、上述したカーソル座標値の変換は、ＳＴＢ２０のカーソル位置処理部２２において実行されてもよい。その場合、実施形態６と同様、ＳＴＢ２０から出力されるカーソル座標値はＳＴＢ２０の画像内の座標系における座標値のため、テレビ１０のカーソル位置処理部１５は、取得したカーソル座標値を、そのまま画像処理部１７に出力すればよい。
【０１３６】
〔実施形態８〕
本発明の他の実施形態について、説明する。なお、説明の便宜上、前記実施形態にて説明した部材と同じ機能を有する部材については、同じ符号を付記し、その説明を省略する。
【０１３７】
実施形態６および７では、ＰｉｎＰ表示画像とカーソルとが重なった場合にのみ、テレビ１０がＰｉｎＰ表示画像上にカーソルを表示したが、実施形態８では、例えばテレビ１０がカーソル用プレーンを備え、ＰｉｎＰ表示画像以外のカーソルも、テレビ１０が表示する。実施形態８について、図１７を用いて説明する。
【０１３８】
図１７は、本発明の実施形態８に係る表示システム１の処理の流れを示すシーケンス図である。なお、実施形態８においては、テレビ１０が、メイン画面としてテレビ画像を表示するため、座標系を変換する必要はない。
【０１３９】
まず、ＳＴＢ２０のカーソル位置処理部２２は、カーソル座標値を、制御情報通信部２３に出力する。制御情報通信部２３は、取得したカーソル座標値を、テレビ１０に出力する（ステップＳ７１）。テレビ１０の制御情報通信部１３は、出力されたカーソル座標値を取得する（ステップＳ７２）。そして、制御情報通信部１３は、取得したカーソル座標値をカーソル位置処理部１５に出力する。上述したように、座標系を変換する必要はないので、カーソル位置処理部１５は、取得したカーソル座標値を、そのまま画像処理部１７に出力する。
【０１４０】
続いて、ＳＴＢ２０の画像処理部２４は、生成した画像を画像出力部２５に出力する。画像出力部２５は、取得した画像をテレビ１０に出力する（ステップＳ７３）。テレビ１０の外部画像入力部１６は、出力された画像を取得する（ステップＳ７４）。外部画像入力部１６は、取得した画像を画像処理部１７に出力する。
【０１４１】
カーソル座標値と画像とを取得した画像処理部１７は、まず、取得した画像にＰｉｎＰ表示画像を重畳する。そして、取得したカーソル座標値の位置に、カーソルを表示して、画像を生成し、表示部１８に出力する。表示部１８は、取得した画像を表示する（ステップＳ７５）。
【０１４２】
そして、テレビ１０がＰｉｎＰの設定情報を出力し、ＳＴＢ２０がＰｉｎＰの設定情報を取得して、ＰｉｎＰを実行する設定になっているか否かを判定するステップＳ９〜ステップＳ１１は上述した処理と同じため、省略する。
【０１４３】
このように、実施形態８においては、ＳＴＢ２０が常にカーソル座標値を出力し、テレビ１０が取得したカーソル座標値の位置にカーソルを表示するので、ＰｉｎＰ表示画像と関係なく、常にテレビ１０はカーソルを表示する。したがって、ユーザはカーソルの位置を見失うことはない。また、常にテレビがカーソルを表示するため、カーソルがＰｉｎＰ表示画像と重なった場合でも、カーソルの形状が変化することもなく、スムーズなカーソル移動が可能となる。
【０１４４】
なお、上述したテレビ１０は、メイン画面としてＳＴＢ２０から入力される画像を表示してもよく、その場合は、ＳＴＢ２０から出力されたカーソル座標値を、テレビ１０のカーソル位置処理部１５がＳＴＢ２０の画像内の座標系における座標値から、ＰｉｎＰ表示画像内の座標系における座標値に変換すればよい。また、実施形態７と同様、カーソル座標値の変換は、ＳＴＢ２０のカーソル位置処理部２２において実行されてもよい。その場合は、実施形態８と同様、ＳＴＢ２０から出力されるカーソル座標値はＳＴＢ２０の画像内の座標系における座標値のため、テレビ１０のカーソル位置処理部１５は、取得したカーソル座標値を、そのまま画像処理部１７に出力すればよい。
【０１４５】
〔実施形態９〕
本発明の他の実施形態について、説明する。なお、説明の便宜上、前記実施形態にて説明した部材と同じ機能を有する部材については、同じ符号を付記し、その説明を省略する。
【０１４６】
実施形態６〜８において、テレビ１０がカーソルを表示したが、実施形態９では、ＳＴＢ２０がカーソルを表示する。
【０１４７】
具体的には、テレビ１０が、画像処理部１７からテレビ画像を取得して、取得したテレビ画像をＳＴＢ２０に出力するテレビ画像出力部（不図示）を備えていればよい。また、ＳＴＢ２０がテレビ１０からテレビ画像を取得し、取得したテレビ画像を画像処理部１７に出力するテレビ画像取得部（不図示）を備えていればよい。また、ＳＴＢ２０の画像処理部２４がＰｉｎＰを実行する機能を有していればよい。実施形態９の処理について、説明する。
【０１４８】
まず、テレビ画像出力部は、画像処理部１７から取得したテレビ画像を、ＳＴＢ２０に出力する。ＳＴＢ２０のテレビ画像取得部は、出力されたテレビ画像を取得し、画像処理部２４に出力する。画像処理部２４は、ＳＴＢ２０の画像に取得したテレビ画像をＰｉｎＰ表示画像として重畳し、さらにその上からカーソルを表示した画像を生成する。そして、生成した画像を画像出力部２５に出力し、画像出力部２５は取得した画像をテレビ１０に出力する。テレビ１０の外部画像入力部１６は、出力された画像を取得し、取得した画像を画像処理部１７に出力する。画像処理部１７は、取得した画像は既にＰｉｎＰ表示画像が重畳されているため、そのまま表示部１８に出力し、表示部１８は取得した画像を表示する。
【０１４９】
このように、実施形態９においては、ＳＴＢ２０がカーソルを表示しても、実施形態６〜８と同様、ＰｉｎＰ表示画像とカーソルとが重なっても、カーソルはＰｉｎＰ表示画像の上から表示される。したがって、ユーザはカーソルの位置を見失うこともなく、ＰｉｎＰ表示画像を気にせずにカーソルを操作することができる。
【０１５０】
〔実施形態１０〕
本発明の他の実施形態について、説明する。なお、説明の便宜上、前記実施形態にて説明した部材と同じ機能を有する部材については、同じ符号を付記し、その説明を省略する。
【０１５１】
上述した実施形態において、表示システム１は、カーソルの表示に関する処理を行ったが、実施形態１０では、カーソルを使って、ＳＴＢ２０がテレビ１０を制御する。以下に、実施形態１０について、図１８を用いて説明する。
【０１５２】
図１８は、本発明の実施形態１０に係る表示システム１の処理の流れを示すシーケンス図である。
【０１５３】
テレビ１０がＰｉｎＰを実行する設定になっている場合に、テレビ１０がＰｉｎＰ表示画像の座標値をＳＴＢ２０に出力し、ＳＴＢ２０がＰｉｎＰ表示画像の座標を取得し、カーソル位置処理部２２がＰｉｎＰ表示領域とカーソルとが重なっているか否かを判定するステップＳ１〜ステップＳ４は上述した処理と同じため、省略する。
【０１５４】
ステップＳ４において、「ＰｉｎＰ表示画像とカーソルとが重なっている」と判定された場合（ステップＳ４：Ｙｅｓ）、カーソル位置処理部２２は、カーソルの動きがＰｉｎＰ表示画像に対してどのように動いているかを判別し、判別結果に基づいて、予め定められた処理のうち何れかを選択する（ステップＳ８１）。予め定められた処理およびカーソルの動きによって選択される処理の例は、後述する。そして、カーソル位置処理部２２は、選択した処理を示す処理情報を制御情報通信部２３に出力する。制御情報通信部２３は、取得した処理情報を、テレビ１０に出力する（ステップＳ８２）。テレビ１０の制御情報通信部１３は、出力された処理情報を取得し（ステップＳ８３）、設定変更部１２に出力する。設定変更部１２は、取得した処理情報が示す処理を実行する（ステップＳ８４）。
【０１５５】
そして、テレビ１０がＰｉｎＰの設定情報を出力し、ＳＴＢ２０がＰｉｎＰの設定情報を取得して、ＰｉｎＰを実行する設定になっているか否かを判定するステップＳ９〜ステップＳ１１は上述した処理と同じため、省略する。
【０１５６】
（予め定められた処理の例）
上述した予め定められた処理およびカーソルの動きによって選択される処理の例について、図１９〜図２４を用いて説明する。
【０１５７】
（チャンネル変更）
カーソルがＰｉｎＰ表示画像の領域に下から入り、例えば１秒未満でＰｉｎＰ表示画像の上から出た場合、つまりＰｉｎＰ表示画像の領域を縦方向に跨いだ場合、カーソル位置処理部２２は、テレビ１０が受信する放送波のチャンネルをアップする処理を選択する。この場合においてテレビ１０が表示する画像を、図１９に示す。
【０１５８】
図１９は、本発明の実施形態１０に係る表示システム１において、テレビ１０が表示する画像であり、（ａ）は、テレビ１０が受信する放送波のチャンネルをアップするカーソルの動きを示す図であり、（ｂ）は（ａ）の処理が実行された後のテレビ１０の画像である。図１９（ａ）に示すように、カーソル３３がＰｉｎＰ表示画像３２の領域を下から上へ縦方向に跨いだ場合、図１９（ｂ）に示すように、テレビ１０は受信する放送波のチャンネルをアップし、受信した放送波のチャンネルの画像をＰｉｎＰ表示画像３２に表示する。逆に、カーソル３３がＰｉｎＰ表示画像３２の領域を上から下に跨いだ場合は、テレビ１０が受信する放送波のチャンネルをダウンする。
【０１５９】
（ＭＥＮＵを表示）
カーソルがＰｉｎＰ表示画像の領域に入り、例えば２秒以上ＰｉｎＰ表示画像の領域に停止した場合、カーソル位置処理部２２は、テレビ１０のＭＥＮＵを表示する処理を選択する。この場合においてテレビ１０が表示する画像を、図２０に示す。
【０１６０】
図２０は、本発明の実施形態１０に係る表示システム１において、テレビ１０が表示する画像であり、（ａ）は、本発明の実施形態１０に係るテレビ１０がＭＥＮＵを表示するカーソル３３の動きを示す図であり、（ｂ）は（ａ）の処理が実行された後のテレビ１０の画像である。図２０（ａ）に示すように、カーソル３３がＰｉｎＰ表示画像３２の下から入り、ＰｉｎＰ表示画像３２の領域内に停止した場合、図２０（ｂ）に示すように、テレビ１０はＰｉｎＰ表示画像３２の下辺からＭＥＮＵをスライドさせて表示する。なお、例えば、ＰｉｎＰ表示画像３２の左からカーソル３３が入り、２秒以上停止した場合、ＭＥＮＵが左辺からスライド表示されるなど、テレビ１０はカーソル３３が入った方向からＭＥＮＵをスライド表示させてもよい。
【０１６１】
例えば、上述したステップＳ４において、カーソル３３がＰｉｎＰ表示画像３２の領域に入る際に横切った一辺（領域の一辺）を、カーソル位置処理部２２が判別する構成とする。また、上述したステップＳ８１において、カーソル位置処理部２２は、テレビ１０のＭＥＮＵを、上記判別した一辺からスライドして表示する旨の処理情報を制御情報通信部２３に出力する。そして、ステップＳ８４において、設定変更部は、取得した処理情報が示す処理を実行する。したがって、ＳＴＢ２０は、ＰｉｎＰ表示画像３２の領域に入るカーソル３３の動きに合わせてテレビ１０のＭＥＮＵをスライドして表示するので、ユーザの操作性が向上する。また、ＳＴＢ２０は、表示されたＭＥＮＵがユーザの操作に対する処理であることを、ユーザに好適に知らせることができる。
【０１６２】
（ＰｉｎＰ表示画像の位置を変更）
カーソルがＰｉｎＰ表示画像の領域に入り、例えば１秒未満でＰｉｎＰ表示画像を跨ぎ、さらにＳＴＢ２０の画像の端に到達した場合、カーソル位置処理部２２は、テレビ１０のＰｉｎＰ表示画像の位置を、カーソルが到達した方向に移動させる処理を選択する。この場合においてテレビ１０が表示する画像を、図２１に示す。
【０１６３】
図２１は、本発明の実施形態１０に係る表示システム１において、テレビ１０が表示する画像であり、（ａ）は、テレビがＰｉｎＰ表示画像３２の位置を変更するカーソル３３の動きを示す図であり、（ｂ）は（ａ）の処理が実行された後のテレビ１０の画像である。図２１（ａ）に示すように、カーソル３３がＰｉｎＰ表示画像３２を左から跨ぎ、ＳＴＢ２０の表示画像３１の右端まで到達した場合、図２１（ｂ）に示すように、ＰｉｎＰ表示画像３２の位置を、カーソルが到達した右方向に変更する。
【０１６４】
（ＰｉｎＰ表示画像のサイズを変更）
カーソルがＰｉｎＰ表示画像の領域に入り、ＰｉｎＰ表示画像を跨ぎ、さらにＰｉｎＰ表示画像の境界で、例えば１秒以上停止した場合、カーソル位置処理部２２は、テレビ１０のＰｉｎＰ表示画像のサイズを変更する処理を選択する。この場合において、テレビ１０が表示する画像を、図２２に示す。
【０１６５】
図２２は、本発明の実施形態１０に係る表示システム１において、テレビ１０が表示する画像であり、（ａ）は、テレビがＰｉｎＰ表示画像３２のサイズを変更するカーソル３３の動きを示す図であり、（ｂ）は（ａ）の処理が実行された後のテレビ１０の画像である。図２２（ａ）に示すように、カーソル３３がＰｉｎＰ表示画像３２を右から跨ぎ、ＰｉｎＰ表示画像３２の左側の境界で停止した場合、図２１（ｂ）に示すように、ＰｉｎＰ表示画像のサイズを小さくする。逆に、カーソル３３がＰｉｎＰ表示画像３２を左から跨ぎ、ＰｉｎＰ表示画像３２の右側の境界で停止した場合、ＰｉｎＰ表示画像３２を大きくする。
【０１６６】
（操作ツールバーを表示）
カーソルがＰｉｎＰ表示画像の領域に入り、例えば１秒以内に同じ方向から出た場合、カーソル位置処理部２２は、操作ツールバーを表示する処理を選択する。この場合において、テレビ１０が表示する画像を、図２３に示す。
【０１６７】
図２３は、本発明の実施形態１０に係る表示システム１において、テレビ１０が表示する画像であり、（ａ）は、テレビ１０が操作ツールバーを表示するカーソル３３の動きを示す図であり、（ｂ）は（ａ）の処理が実行された後のテレビ１０の画像である。図２３（ａ）に示すように、カーソル３３がＰｉｎＰ表示画像３２の領域に下から入り、下から出た場合、図２３（ｂ）に示すように、ＰｉｎＰ表示画像の外側に操作ツールバーを表示する。この操作ツールバーは、テレビ１０を操作できる操作ツールバーまたはＳＴＢ２０を操作できる操作ツールバーのどちらでもよく、ＳＴＢ２０に接続されたマウス２を使って、ユーザは操作ツールバーを利用できる。
【０１６８】
このように、上述したステップＳ８１において、カーソル位置処理部２２は、ユーザが操作を入力するためのボタンが押下されたか否かを参照することなく、カーソル３３の動きがＰｉｎＰ表示画像３２に対してどのように動いているかを判別した判別結果に基づいて、予め定められた複数の処理のうち何れかの処理を選択する。すなわち、ＳＴＢ２０は、ユーザにボタンを押下させることなくテレビ１０に対する処理を実行することができるため、ユーザによるテレビ１０の操作の利便性を向上させることができる。
【０１６９】
また、ＳＴＢ２０は、マウス２以外の装置（例えば、後述する実施形態における遠隔操作装置２ａなど）から操作を受け付ける構成であってもよい。その場合、ボタンを備えない装置を操作受付装置として用いることができる。
【０１７０】
また、ボタンを備える装置を操作受付装置として用いる場合であっても、以下の利点がある。
【０１７１】
・ボタンの数を減らすなどの簡素化を図ることができる。
【０１７２】
・一時的にテレビ１０を操作するためのボタンを割り当てるといった、ユーザの操作を煩雑にさせる構成は必要ないため、ユーザによるテレビ１０の操作の利便性を向上させることができる。
【０１７３】
（音量バーを表示）
カーソルがＰｉｎＰ表示画像の領域に入り、さらにマウス２のボタンをクリックした場合、カーソル位置処理部２２は、音量バーを表示する処理を選択する。マウス２のボタンがクリックされたか否かは、外部機器接続部２１からの信号により、カーソル位置処理部２２が判定する。この場合において、テレビ１０が表示する画像を、図２４（ａ）および（ｂ）に示す。
【０１７４】
図２４は、本発明の実施形態１０に係る表示システム１において、テレビ１０が表示する画像であり、（ａ）は、テレビ１０が音量バーを表示するカーソル３３の動きを示す図であり、（ｂ）は、（ａ）の処理が実行された後のテレビ１０の画像である。図２４（ａ）に示すように、カーソル３３がＰｉｎＰ表示画像３２の領域に入り、さらにマウス２のボタンをクリックすると、図２４（ｂ）に示すように、音量バーを表示する。また、この音量バーが表示されているときに、音量を上げる操作および音量バーを消す操作について、図２４（ｃ）および（ｄ）に示す。
【０１７５】
図２４（ｃ）は、（ｂ）の処理が実行された後に音量を上げるカーソル３３の動きを示す図であり、（ｄ）は、音量バーの表示が消えた後のテレビ１０の画像である。図２４（ｃ）に示すように、音量バーが表示されているときに、カーソル３３が右に動いた場合、カーソル位置処理部２２は、音量を上げる処理を選択する。また、マウス２のボタンが再度クリックされた場合、図２４（ｄ）に示すように、カーソル位置処理部２２は、音量バーの表示を消す処理を選択する。
【０１７６】
このように、実施形態１０においては、ユーザは、ＰｉｎＰ表示画像に対するカーソルの相対的な動きによって、テレビ１０を操作することができる。したがって、ユーザは、テレビ１０を操作したい場合、テレビ１０のリモートコントローラやテレビ１０が本体に備えているキーを操作することなく、ＳＴＢ２０に接続されているマウス２を操作することによって、テレビ１０も操作することができる。
【０１７７】
（実施形態１０に関する付記事項）
なお、カーソル位置処理部２２が実行する処理は、より一般には、以下のように表現することができる。
【０１７８】
カーソル位置処理部２２が判別する、上記カーソルの上記ＰｉｎＰ表示画像に対する相対的な動きには、上記カーソルが、上記ＰｉｎＰ表示画像の領域外から上記ＰｉｎＰ表示画像の領域内に移動する動き、上記カーソルが、上記ＰｉｎＰ表示画像の領域内から上記ＰｉｎＰ表示画像の領域外に移動する動き、及び、上記ＰｉｎＰ表示画像の領域内で一時的に停止する動き、の少なくとも何れかの動きが含まれており、カーソル位置処理部２２は、これらの判別結果に基づき、上記表示装置が受信する放送波のチャンネルを変更する処理、上記表示装置のメニュー画面を表示する処理、上記ＰｉｎＰ表示画像の位置を変更する処理、上記ＰｉｎＰ表示画像の大きさを変更する処理、及び、操作ツールバーを表示する処理、の少なくとも何れかの処理を選択する。
【０１７９】
〔実施形態１１〕
本発明の他の実施形態について、説明する。なお、説明の便宜上、前記実施形態にて説明した部材と同じ機能を有する部材については、同じ符号を付記し、その説明を省略する。
【０１８０】
実施形態１０においては、カーソルがＰｉｎＰ表示画像の領域に入った方向や出た方向などによって処理が選択された。しかし、ＰｉｎＰ表示画像の角付近からＰｉｎＰ表示画像の領域にカーソルが入った場合、ＳＴＢ２０がどの方向からカーソルが入ったと認識したのか、ユーザには分からない。そこで、実施形態１１では、実施形態１０と実施形態１とを組み合わせ、カーソルが入った方向や出た方向などを、ＳＴＢ２０がハイライト表示する。実施形態１１において、テレビ１０に表示される画像を、図２５に示す。
【０１８１】
図２５は、本発明の実施形態１１に係る表示システム１において、テレビ１０が表示する画像であり、（ａ）は、ＰｉｎＰ表示画像３２にカーソル３３が入った方向の外枠がハイライト表示された画像である。図２５（ａ）に示すように、カーソル３３がＰｉｎＰ表示画像の領域に左から入った場合に、ＳＴＢ２０の画像処理部２４は、ＰｉｎＰ表示画像の外枠の左側を、例えば黄色にハイライト表示する。
【０１８２】
図２５（ｂ）は、（ｂ）は、ＰｉｎＰ表示画像３２からカーソル３３が出た方向の外枠がハイライト表示された画像である。図２５（ｂ）に示すように、カーソル３３がＰｉｎＰ表示画像３２の領域の右から出た場合に、ＳＴＢ２０の画像処理部２４は、ＰｉｎＰ表示画像の外枠の右側を、例えば橙色にハイライト表示する。
【０１８３】
図２５（ｃ）は、ＰｉｎＰ表示画像３２にカーソル３３が入った方向の外枠がハイライト表示された画像であり、（ｄ）は、（ｃ）の後にカーソル３３がＰｉｎＰ表示画像３２の領域に停止し、外枠が違う色にハイライト表示された画像である。図２５（ａ）と同様、図２５（ｃ）に示すように、カーソル３３がＰｉｎＰ表示画像の領域に下から入った場合に、ＳＴＢ２０の画像処理部２４は、ＰｉｎＰ表示画像の外枠の下側を、例えば黄色にハイライト表示する。そして、カーソル３３がＰｉｎＰ表示画像の領域に、例えば２秒以上停止した場合に、ＳＴＢ２０の画像処理部２４は、黄色にハイライト表示したＰｉｎＰ表示画像の外枠の下側を、例えば青色にハイライト表示する。
【０１８４】
このように、実施形態１１においては、カーソルがＰｉｎＰ表示画像の領域に入った方向や出た方向などを、ＳＴＢ２０の画像処理部２４がＰｉｎＰ表示画像の外枠をハイライト表示することにより、ＳＴＢ２０がカーソルの操作をどのように認識したのかをユーザに知らせることができる。したがってユーザは、カーソルを使って、思い通りの操作をすることができる。
【０１８５】
〔実施形態１２〕
本発明の他の実施形態について、説明する。なお、説明の便宜上、前記実施形態にて説明した部材と同じ機能を有する部材については、同じ符号を付記し、その説明を省略する。
【０１８６】
図２６は、本発明の実施形態１２に係る表示装置１００の構成を示すブロック図である。表示装置１００は、図２６に示すように、入力部１１、設定変更部（実行手段）１２、ＰｉｎＰ処理部（座標取得手段）１４、表示部１８、外部機器接続部２１、第１のカーソル位置処理部（判別手段、選択手段）１０１、第２のカーソル位置処理部１０２、第１の画像処理部１０３、および第２の画像処理部１０４を備えている。なお、第１のカーソル位置処理部１０１は、上述した実施形態におけるカーソル位置処理部２２と同じ機能を備える。また、第２のカーソル位置処理部１０２は、上述した実施形態におけるカーソル位置処理部１５と同じ機能を備える。また、第１の画像処理部１０３は、上述した実施形態における画像処理部２４と同じ機能を備える。また、第２の画像処理部１０４は、上述した実施形態における画像処理部１７と同じ機能を備える。
【０１８７】
（表示装置１００の外観）
図２７は、本発明の実施形態１２に係る表示装置１００の外観を示す図である。表示装置１００が表示する画像には、第１の画像処理部１０３が生成する画像１０１と、ＰｉｎＰ表示画像１０２と、カーソル１０３とが表示されている。ユーザはマウス２を使って、カーソル１０３を動かすことができる。
【０１８８】
（表示装置１００の処理）
表示装置１００では、第２の画像処理部１０４は、第１の画像処理部が生成する画像（第１の画像）に表示装置１００の画像（第２の画像）をＰｉｎＰ表示画像として重畳する。
【０１８９】
また、表示装置１００では、ＰｉｎＰ処理部１４は、ＰｉｎＰ表示画像の座標を取得し、取得した座標を第１のカーソル位置処理部１０１に出力する。カーソル位置処理部１０１は、ＰｉｎＰ表示画像の座標を取得すると、第１の画像処理部が生成する画像に含まれるカーソルが、ＰｉｎＰ表示画像と重なっているか否かを判定する。カーソル位置処理部１０１は、第１の画像処理部が生成する画像に含まれるカーソルは、ＰｉｎＰ表示画像と重なっていると判定した場合、カーソルのＰｉｎＰ表示画像に対する相対的な動きを判別する。次に、カーソル位置処理部１０１は、判別結果に基づいて、予め定められた複数の処理のうち何れかの処理を選択する。そして、カーソル位置処理部１０１は、選択した処理を示す処理情報を、設定変更部１２に出力する。設定変更部１２は、カーソル位置処理部１０１から取得した処理情報が示す処理を実行する。
【０１９０】
このように、本実施形態に係る表示装置１００は、上述した実施形態１０におけるテレビ１０およびＳＴＢ２０を備えた表示システムと同様の効果を奏する。
【０１９１】
なお、表示装置１００は、図２６における設定変更部１２、ＰｉｎＰ処理部１４、および第２のカーソル位置処理部１０２の各機能を第１のＣＰＵにより実現し、第１のカーソル位置処理部１０１の機能を第２のＣＰＵにより実現するように構成することも可能である。さらに、表示装置１００は、設定変更部１２、ＰｉｎＰ処理部１４、第１のカーソル位置処理部１０１、および第２のカーソル位置処理部１０２の各機能を一つのＣＰＵにより実現するように構成してもよい。
【０１９２】
また、表示装置１００は、チューナを備えたテレビジョン受像機で実現してもよい。この場合、表示装置１００は、チューナが放送波を受信して得た画像をＰｉｎＰ表示画像として表示する。また、表示装置１００は、外部機器から供給される画像信号を受け付ける外部信号受付手段を備える構成であってもよい。この場合、表示装置１００は、外部機器から供給され、外部信号受付手段が受け付けた画像信号の示す画像をＰｉｎＰ表示画像として表示する。
【０１９３】
〔実施形態１３〕
本発明の他の実施形態について、説明する。なお、説明の便宜上、前記実施形態にて説明した部材と同じ機能を有する部材については、同じ符号を付記し、その説明を省略する。
【０１９４】
図２８は、本発明の実施形態１３において、ユーザの操作を受け付ける遠隔操作装置２ａの正面図である。遠隔操作装置２ａは、上述した実施形態におけるマウス２の代わりにユーザの操作を受け付ける装置である。遠隔操作装置２ａは、赤外線、Ｂｌｕｅｔｏｏｔｈといった無線通信によって、受け付けたユーザの操作を示す操作指示を、上述したＳＴＢ２０または表示装置１００に対して送信する。また、遠隔操作装置２ａは、図２８に示すように、タッチパッド２００を備えている。
【０１９５】
タッチパッド２００は、操作指示体（例えば、指、スタイラスペンなど）による操作入力を受け付けるための手段である。遠隔操作装置２ａは、タッチパッド２００が検知した操作指示体によるタッチを操作入力として受け付ける。タッチパッド２００は、例えば、静電容量方式を採用することにより、操作指示体によるタッチを検知することができる。なお、タッチパッド２００が受け付ける操作入力としては、例えば、スライド（タッチ面にタッチしたままの状態で、タッチ面をなぞる動作）操作、及びタップ（タッチ後、すぐに操作指示体を離す動作）操作などが挙げられる。また、スライド操作には、フリック（タッチ面を指で軽くはらう動作）操作が含まれる。
【０１９６】
ＳＴＢ２０または表示装置１００は、遠隔操作装置２ａから受信した操作指示に基づいた処理を実行する。例えば、ＳＴＢ２０または表示装置１００が遠隔操作装置２ａから「左方向へのスライド操作」を示す操作指示を受信した場合、ＳＴＢ２０または表示装置１００は、カーソルを左方向へ移動させる処理を実行する。
【０１９７】
また、遠隔操作装置２ａは、タッチパッド２００を備える構成に限定されない。例えば、上述したテレビ１０または表示装置１００が複数の光源を備え、当該複数の光源が発する光を受光する光受信センサを遠隔操作装置２ａが備えることにより、遠隔操作装置２ａの空間的な動きを検出可能な構成としてもよい（構成Ａ）。構成Ａを備えたテレビ１０または表示装置１００と、遠隔操作装置２ｂとを、図２９の（ａ）に示す。図２９の（ａ）は、本発明の実施形態１３におけるテレビ１０または表示装置１００と、遠隔操作装置２ｂとの外観を示す図である。
【０１９８】
図２９の（ａ）に示すように、テレビ１０または表示装置１００は複数の光源１１０を備えている。また、遠隔操作装置２ｂは、光受信センサ２１０、ボタン２２０ａ、およびボタン２２０ｂを備えている。遠隔操作装置２ｂは、光受信センサ２１０において、テレビ１０または表示装置１００が備える複数の光源１１０から発する光を受光する。この構成により、ＳＴＢ２０または表示装置１００は、遠隔操作装置２ｂの空間的な動きを検出することができる。また、遠隔操作装置２ｂは、ボタン２２０ａおよび２２０ｂに機能を割り当て、ユーザによるボタン２２０ａおよび２２０ｂの押下を操作指示として受け付ける構成としてもよい。例えば、ボタン２２０ａを、操作を決定する決定ボタン、ボタン２２０ｂを、操作を無効にするキャンセルボタンとしてもよい。
【０１９９】
また、構成Ａにおいて、光源１１０は、テレビ１０または表示装置１００の周辺に配置されている構成であってもよい。図２９の（ｂ）は、テレビ１０または表示装置１００の周辺に光源１１０が配置されている場合の外観を示す図である。図２９の（ｂ）に示すように、テレビ１０または表示装置１００の周辺に光源１１０が配置されている場合であっても、光受信センサ２１０が光源１１０から発する光を受光することにより、ＳＴＢ２０または表示装置１００は、遠隔操作装置２ｂの空間的な動きを検出することができる。
【０２００】
また、遠隔操作装置２ａが、自装置の振動を検知する振動センサ、自装置の傾きを検知する傾きセンサ、を備えることにより、遠隔操作装置２ａの空間的な動きを検出可能な構成としてもよい（構成Ｂ）。また、上記構成Ａ及び構成Ｂの双方の構成を採用してもよく、この場合の遠隔操作装置２ｃの詳細は、参照する図面を変えて後述する。
【０２０１】
なお、このような構成において、ＳＴＢ２０または表示装置１００と遠隔操作装置２ａとは無線通信する構成であることが好ましいがこれに限定されない。
【０２０２】
また、このような構成において、テレビ１０または表示装置１００は、遠隔操作装置２ａの空間的な動きに応じて、カーソルを移動させる。テレビ１０または表示装置１００は、このような遠隔操作装置２ａを用いても、上述の実施形態にて説明した機能を実現できる。
【０２０３】
（遠隔操作装置２ｃ）
図３０は、本発明の実施形態１３における遠隔操作装置２ｃの構成を示すブロック図である。図３０に示すように、遠隔操作装置２ｃは、ＣＭＯＳセンサ２１０ｃ、ジャイロセンサ２４０、加速度センサ２５０、無線通信部２６０、および制御部２７０を備えている。
【０２０４】
ＣＭＯＳセンサ２１０ｃは、光源１１０が赤外線を出力する赤外線ＬＥＤである場合に、複数の光源１１０が発する赤外光を受光し、受光した複数の赤外光の位置関係および間隔を示す光受信情報を出力する。ＣＭＯＳセンサ２１０ｃは、図２９における遠隔操作装置２ｂの光受信センサ２１０に相当する。
【０２０５】
ジャイロセンサ２４０は、自装置の傾きを検知し、検知した自装置の傾きを示す傾き情報を出力する。ジャイロセンサ２４０は、上述した構成Ｂにおける傾きセンサに相当する。
【０２０６】
加速度センサ２５０は、自装置の加速度を検知し、検知した自装置の加速度を示す加速度情報を出力する。加速度センサ２５０は、上述した構成Ｂにおける振動センサとして機能する。
【０２０７】
無線通信部２６０は、テレビ１０または表示装置１００に対して無線通信を介してデータを送信する機能を備えている。
【０２０８】
制御部２７０は、遠隔操作装置２ｃの各構成を統括的に制御する。
【０２０９】
遠隔操作装置２ｃの具体的な処理の例を挙げれば以下の通りである。
【０２１０】
遠隔操作装置２ｃは、無線通信部２６０を介して、ジャイロセンサ２４０が検知した振動情報、加速度センサ２５０が検知した傾き情報、およびＣＭＯＳセンサ２１０ｃが光受信情報を、ＳＴＢ２０または表示装置１００に送信する。
【０２１１】
ＳＴＢ２０または表示装置１００は、遠隔操作装置２ｃから受信した振動情報、傾き情報、および光受信情報を参照し、遠隔操作装置２ｃの動き、遠隔操作装置２ｃの傾き（姿勢）、および遠隔操作装置２ｃがテレビ１０または表示装置１００に対して向けられている相対的な方向および遠隔操作装置２ｃがテレビ１０または表示装置１００までの遠隔操作装置２ｃの距離を検知する。そして、ＳＴＢ２０または表示装置１００は、検知した結果に基づいて処理を実行する。例えば、ＳＴＢ２０または表示装置１００が、遠隔操作装置２ｃが左方向へ移動し、遠隔操作装置２ｃがテレビ１０または表示装置１００に対して左方向へ向いたことを検知した場合、ＳＴＢ２０または表示装置１００は、カーソルを左方向へ移動させる処理を実行する。
【０２１２】
このように、表示システム１または表示装置１００において、ユーザの操作を受け付ける装置としてマウス２の代わりに遠隔操作装置２ａを用いても、上述した実施形態における表示システム１または表示装置１００と同様の効果を奏する。
【０２１３】
〔ソフトウェアによる実現例〕
表示システム１の各ブロックは、集積回路（ＩＣチップ）等に形成された論理回路（ハードウェア）によって実現してもよいし、ＣＰＵ（Central Processing Unit）を用いてソフトウェアによって実現してもよい。
【０２１４】
後者の場合、表示システム１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２１５】
〔まとめ〕
本発明の態様１に係る外部機器（セットトップボックス２０）は、ＰｉｎＰ表示可能な表示装置に、画像を提供する外部機器であって、当該外部機器が提供する画像に対して上記表示装置が重畳して表示するＰｉｎＰ表示画像の座標を取得する座標取得手段（制御情報通信部２３）と、当該外部機器が提供する画像に含まれるカーソルの、上記ＰｉｎＰ表示画像に対する相対的な動きを判別する判別手段（カーソル位置処理部２２）と、上記判別手段による判別結果に基づいて、予め定められた複数の処理のうち何れかの処理を選択する選択手段（カーソル位置処理部２２）と、上記選択手段が選択した処理を実行するよう上記表示装置に通知する通知手段（制御情報通信部２３）と、を備えている。
【０２１６】
上記の構成によれば、上記外部機器は、ＰｉｎＰ表示画像に対する相対的なカーソルの動きにより処理を選択し、その処理を表示装置に通知する。
【０２１７】
したがって、外部機器の画像にＰｉｎＰ表示画像を重畳して表示する場合において、ユーザによる表示装置の操作の利便性を向上させることができる。
【０２１８】
また、本発明の態様２に係る外部機器（セットトップボックス２０）において、上記態様１における上記判別手段（カーソル位置処理部２２）が判別する、上記カーソルの上記ＰｉｎＰ表示画像に対する相対的な動きには、上記カーソルが、上記ＰｉｎＰ表示画像の領域外から上記ＰｉｎＰ表示画像の領域内に移動する動き、上記カーソルが、上記ＰｉｎＰ表示画像の領域内から上記ＰｉｎＰ表示画像の領域外に移動する動き、及び、上記ＰｉｎＰ表示画像の領域内で一時的に停止する動き、
の少なくとも何れかの動きが含まれていてもよい。
【０２１９】
上記の構成によれば、ユーザは外部機器からカーソルを操作することにより、表示装置に処理を実行させることができるので、ユーザによる表示装置の操作の利便性を向上させることができる。
【０２２０】
また、本発明の態様３に係る外部機器（セットトップボックス２０）において、上記態様１または２における上記予め定められた複数の処理には、上記表示装置が受信する放送波のチャンネルを変更する処理、上記表示装置のメニュー画面を表示する処理、上記ＰｉｎＰ表示画像の位置を変更する処理、上記ＰｉｎＰ表示画像の大きさを変更する処理、及び操作ツールバーを表示する処理、の少なくとも何れかの処理が含まれていてもよい。
【０２２１】
上記の構成によれば、ユーザは外部機器からカーソルを操作することにより、表示装置に処理を実行させることができるので、ユーザによる表示装置の操作の利便性を向上させることができる。
【０２２２】
また、本発明の態様４に係る外部機器（セットトップボックス２０）において、上記態様１から３の何れかにおける上記判別手段（カーソル位置処理部２２）が、上記カーソルが上記ＰｉｎＰ表示画像の領域を縦方向に跨ぐ動きを判別した場合、上記選択手段（カーソル位置処理部２２）は、上記表示装置が受信する放送波のチャンネルを変更する処理を選択してもよい。
【０２２３】
上記の構成によれば、ユーザは、外部機器を操作することにより、表示装置が表示する放送波のチャンネルを変更することができる。
【０２２４】
また、本発明の態様５に係る外部機器（セットトップボックス２０）において、上記態様１から４の何れかにおける上記判別手段（カーソル位置処理部２２）が、上記カーソルが上記ＰｉｎＰ表示画像の領域内に一時的に停止した動きを判別した場合、上記選択手段（カーソル位置処理部２２）は、上記表示装置のメニュー画面を表示する処理を選択してもよい。
【０２２５】
上記の構成によれば、ユーザは、外部機器を操作することにより、表示装置のメニュー画面を表示することができる。
【０２２６】
また、本発明の態様６に係る外部機器（セットトップボックス２０）において、上記態様５における上記判別手段（カーソル位置処理部２２）は、上記カーソルが上記ＰｉｎＰ表示画像の領域に入る際に横切った一辺を判別し、上記選択手段は、上記判別手段が判別した一辺から、上記表示装置のメニュー画面をスライドして表示する処理を選択してもよい。
【０２２７】
上記の構成によれば、外部機器は、ＰｉｎＰ表示画像の領域に入るカーソルの動きに合わせて、表示装置のメニュー画面をスライドして表示するので、表示されたメニュー画面がユーザの操作に対する処理であることを、ユーザに知らせることができる。
【０２２８】
また、本発明の態様７に係る外部機器（セットトップボックス２０）において、上記態様１から６の何れかにおける上記判別手段（カーソル位置処理部２２）が、上記カーソルが上記ＰｉｎＰ表示画像の領域を跨いで移動したうえで当該表示装置の表示領域の端に到達したと判別した場合、上記選択手段（カーソル位置処理部２２）は、上記ＰｉｎＰ表示画像の位置を変更する処理を選択してもよい。
【０２２９】
上記の構成によれば、ユーザは、外部機器を操作することにより、ＰｉｎＰ表示画像の位置を変更することができる。
【０２３０】
また、本発明の態様８に係る外部機器（セットトップボックス２０）において、上記態様１から７の何れかにおける上記判別手段（カーソル位置処理部２２）が、上記カーソルが上記ＰｉｎＰ表示画像の領域を跨いで移動したうえで上記ＰｉｎＰ表示画像の境界で停止したと判別した場合、上記選択手段（カーソル位置処理部２２）は、上記ＰｉｎＰ表示画像の大きさを変更する処理を選択してもよい。
【０２３１】
上記の構成によれば、ユーザは、外部機器を操作することにより、ＰｉｎＰ表示画像の大きさを変更することができる。
【０２３２】
また、本発明の態様９に係る外部機器（セットトップボックス２０）において、上記態様１から８の何れかにおける上記判別手段（カーソル位置処理部２２）が、上記カーソルが上記ＰｉｎＰ表示画像の領域に一時的に入ったうえで再度上記ＰｉｎＰ表示画像の領域外に移動したと判別した場合、上記選択手段（カーソル位置処理部２２）は、操作ツールバーを表示する処理を選択してもよい。
【０２３３】
上記の構成によれば、ユーザは、外部機器を操作することにより、操作ツールバーを表示することができる。
【０２３４】
また、本発明の態様１０に係る外部機器（セットトップボックス２０）は、ユーザが上記カーソルを操作するために用いる操作体に設けられたボタンが押下されたか否かを検出するボタン押下検出手段（カーソル位置処理部２２）を更に備え、上記判別手段（カーソル位置処理部２２）が、上記カーソルが上記ＰｉｎＰ表示画像の領域に入ったと判別したうえで、上記ボタン押下検出手段が、上記ボタンが押下されたことを検出した場合、上記選択手段（カーソル位置処理部２２）は、音量バーを表示する処理を選択してもよい。
【０２３５】
上記の構成によれば、ユーザは、外部機器を操作することにより、音量バーを表示することができる。
【０２３６】
また、本発明の態様１１に係る外部機器（セットトップボックス２０）において、上記態様１から８の何れかにおける上記選択手段（カーソル位置処理部２２）は、ユーザが操作を入力するためのボタンが押下されたか否かを参照することなく、上記判別手段（カーソル位置処理部２２）による判別結果に基づいて、予め定められた複数の処理のうち何れかの処理を選択してもよい。
【０２３７】
上記の構成によれば、外部機器は、ユーザによってボタンが押下されたか否かを参照することなく、処理を実行する。したがって、外部機器は、ユーザにボタンを押下する操作をさせることなく、表示装置を操作させることができるので、ユーザによる表示装置の操作の利便性を向上させることができる。
【０２３８】
また、本発明の態様１２に係る外部機器（セットトップボックス２０）は、上記態様１から１１の何れかに記載の外部機器であって、セットトップボックスとして機能する。
【０２３９】
また、本発明の態様１３に係る制御方法は、ＰｉｎＰ表示可能な表示装置に、画像を提供する外部機器の制御方法であって、当該外部機器が提供する画像に対して上記表示装置が重畳して表示するＰｉｎＰ表示画像の座標を取得する座標取得工程と、当該外部機器が提供する画像に含まれるカーソルの、上記ＰｉｎＰ表示画像に対する相対的な動きを判別する判別工程と、上記判別工程における判別結果に基づいて、予め定められた複数の処理のうち何れかの処理を選択する選択工程と、上記選択工程が選択した処理を実行するよう上記表示装置に通知する通知工程と、を含んでいる。
【０２４０】
上記の構成によれば、上記外部機器および制御方法は、上記外部機器と同様の効果を奏する。
【０２４１】
また、本発明の態様１４に係る表示システムは、ＰｉｎＰ表示可能な表示装置（テレビ１０）と、上記態様１から１１の何れかに記載の外部機器（セットトップボックス２０）と、を備えている。
【０２４２】
上記の構成によれば、ＰｉｎＰ表示可能な表示装置と、上記の外部機器とを備えた表示システムを実現できる。
【０２４３】
また、本発明の態様１５に係る表示装置（表示装置１００）は、第１の画像に第２の画像を重畳して表示するＰｉｎＰ表示可能な表示装置であって、当該表示装置が表示する上記第２の画像の座標を取得する座標取得手段（ＰｉｎＰ処理部１４）と、上記第１の画像に含まれるカーソルの、上記第２の画像に対する相対的な動きを判別する判別手段（第１のカーソル位置処理部１０１）と、上記判別手段による判別結果に基づいて、予め定められた複数の処理のうち何れかの処理を選択する選択手段（第１のカーソル処理部）と、上記選択手段が選択した処理を実行する実行手段（設定変更部１２）と、を備えている。
【０２４４】
上記の構成によれば、表示装置は、上記表示システムと同様の効果を奏する。
【０２４５】
また、本発明の態様１６に係るテレビジョン受像機は、上記態様１５に記載の表示装置の上記各手段を備えている。
【０２４６】
上記の構成によれば、上記態様１５に係る表示装置と同様の効果を奏するテレビジョン受像機が実現できる。
【０２４７】
本発明の各態様に係る外部機器は、コンピュータによって実現してもよく、この場合には、コンピュータを上記外部機器が備える各手段として動作させることにより上記外部機器をコンピュータにて実現させる外部機器の制御プログラム、およびそれを記録したコンピュータ読み取り可能な記録媒体も、本発明の範疇に入る。
【０２４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２４９】
本発明は、セットトップボックスなどの外部機器とテレビなどの表示装置とを含む表示システムに好適に利用することができる。
【符号の説明】
【０２５０】
１  表示システム
２  マウス
１０  テレビ（表示装置）
１１  入力部
１２  設定変更部
１３  制御情報通信部
１４  ＰｉｎＰ処理部
１５  カーソル位置処理部
１６  外部画像入力部
１７  画像処理部
１８  表示部
２０  セットトップボックス（ＳＴＢ、外部機器）
２１  外部機器接続部
２２  カーソル位置処理部（判別手段、選択手段、ボタン押下検出手段）
２３  制御情報通信部（座標取得手段、通知手段）
２４  画像処理部
２５  画像出力部
【図１】
2014209335.tif 000005
【図２】
2014209335.tif 000006
【図３】
2014209335.tif 000007
【図４】
2014209335.tif 000008
【図５】
2014209335.tif 000009
【図６】
2014209335.tif 000010
【図７】
2014209335.tif 000011
【図８】
2014209335.tif 000012
【図９】
2014209335.tif 000013
【図１０】
2014209335.tif 000014
【図１１】
2014209335.tif 000015
【図１２】
2014209335.tif 000016
【図１３】
2014209335.tif 000017
【図１４】
2014209335.tif 000018
【図１５】
2014209335.tif 000019
【図１６】
2014209335.tif 000020
【図１７】
2014209335.tif 000021
【図１８】
2014209335.tif 000022
【図１９】
2014209335.tif 000023
【図２０】
2014209335.tif 000024
【図２１】
2014209335.tif 000025
【図２２】
2014209335.tif 000026
【図２３】
2014209335.tif 000027
【図２４】
2014209335.tif 000028
【図２５】
2014209335.tif 000029
【図２６】
2014209335.tif 000030
【図２７】
2014209335.tif 000031
【図２８】
2014209335.tif 000032
【図２９】
2014209335.tif 000033
【図３０】
2014209335.tif 000034
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
ＰｉｎＰ表示可能な表示装置に、画像を提供する外部機器であって、
当該外部機器が提供する画像に対して上記表示装置が重畳して表示するＰｉｎＰ表示画像の座標を取得する座標取得手段と、
当該外部機器が提供する画像に含まれるカーソルの、表示中の上記ＰｉｎＰ表示画像に対する相対的な動きを判別する判別手段と、
上記判別手段による判別結果に基づいて、予め定められた複数の処理のうち何れかの処理を選択する選択手段と、
上記選択手段が選択した処理を実行するよう上記表示装置に通知する通知手段と、を備えていることを特徴とする外部機器。
【請求項２】
ＰｉｎＰ表示可能な表示装置に、画像を提供する外部機器であって、
当該外部機器が提供する画像に対して上記表示装置が重畳して表示するＰｉｎＰ表示画像の座標を取得する座標取得手段と、
当該外部機器が提供する画像に含まれるカーソルの、上記ＰｉｎＰ表示画像に対する相対的な動きを判別する判別手段と、
上記判別手段による判別結果に基づいて、予め定められた複数の処理のうち何れかの処理を選択する選択手段と、
上記選択手段が選択した処理を実行するよう上記表示装置に通知する通知手段と、を備え、
上記判別手段は、上記カーソルが上記ＰｉｎＰ表示画像の領域内に一時的に停止した動きを判別した場合、上記カーソルが上記ＰｉｎＰ表示画像の領域に入る際に横切った一片を判別し、
上記選択手段は、上記判別手段が判別した一辺から、上記表示装置のメニュー画面をスライドして表示する処理を選択することを特徴とする外部機器。
【請求項３】
ＰｉｎＰ表示可能な表示装置に、画像を提供する外部機器であって、
当該外部機器が提供する画像に対して上記表示装置が重畳して表示するＰｉｎＰ表示画像の座標を取得する座標取得手段と、
当該外部機器が提供する画像に含まれるカーソルの、上記ＰｉｎＰ表示画像に対する相対的な動きを判別する判別手段と、
上記判別手段による判別結果に基づいて、予め定められた複数の処理のうち何れかの処理を選択する選択手段と、
上記選択手段が選択した処理を実行するよう上記表示装置に通知する通知手段と、を備え、
上記判別手段が、上記カーソルが上記ＰｉｎＰ表示画像の領域を跨いで移動したうえで当該表示装置の表示領域の端に到達したと判別した場合、
上記選択手段は、上記ＰｉｎＰ表示画像の位置を変更する処理を選択することを特徴とする外部機器。
【請求項４】
上記判別手段が判別する、上記カーソルの上記ＰｉｎＰ表示画像に対する相対的な動きには、
上記カーソルが、上記ＰｉｎＰ表示画像の領域外から上記ＰｉｎＰ表示画像の領域内に移動する動き、
上記カーソルが、上記ＰｉｎＰ表示画像の領域内から上記ＰｉｎＰ表示画像の領域外に移動する動き、及び、
上記ＰｉｎＰ表示画像の領域内で一時的に停止する動き、
の少なくとも何れかの動きが含まれていることを特徴とする請求項１から３の何れか１項に記載の外部機器。
【請求項５】
上記予め定められた複数の処理には、
上記表示装置が受信する放送波のチャンネルを変更する処理、
上記表示装置のメニュー画面を表示する処理、
上記ＰｉｎＰ表示画像の位置を変更する処理、
上記ＰｉｎＰ表示画像の大きさを変更する処理、及び
操作ツールバーを表示する処理、
の少なくとも何れかの処理が含まれている、
ことを特徴とする請求項１から４の何れか１項に記載の外部機器。
【請求項６】
上記判別手段が、上記カーソルが上記ＰｉｎＰ表示画像の領域を縦方向に跨ぐ動きを判別した場合、
上記選択手段は、上記表示装置が受信する放送波のチャンネルを変更する処理を選択することを特徴とする請求項１から５の何れか１項に記載の外部機器。
【請求項７】
上記判別手段が、上記カーソルが上記ＰｉｎＰ表示画像の領域内に一時的に停止した動きを判別した場合、
上記選択手段は、上記表示装置のメニュー画面を表示する処理を選択することを特徴とする請求項１または３に記載の外部機器。
【請求項８】
上記判別手段が、上記カーソルが上記ＰｉｎＰ表示画像の領域を跨いで移動したうえで上記ＰｉｎＰ表示画像の境界で停止したと判別した場合、
上記選択手段は、上記ＰｉｎＰ表示画像の大きさを変更する処理を選択することを特徴とする請求項１から７の何れか１項に記載の外部機器。
【請求項９】
上記判別手段が、上記カーソルが上記ＰｉｎＰ表示画像の領域に一時的に入ったうえで再度上記ＰｉｎＰ表示画像の領域外に移動したと判別した場合、
上記選択手段は、操作ツールバーを表示する処理を選択することを特徴とする請求項１から８の何れか１項に記載の外部機器。
【請求項１０】
当該外部機器は、
ユーザが上記カーソルを操作するために用いる操作体に設けられたボタンが押下されたか否かを検出するボタン押下検出手段を更に備え、
上記判別手段が、上記カーソルが上記ＰｉｎＰ表示画像の領域に入った判別したうえで、
上記ボタン押下検出手段が、上記ボタンが押下されたことを検出した場合、
上記選択手段は、音量バーを表示する処理を選択することを特徴とする請求項１から９の何れか１項に記載の外部機器。
【請求項１１】
上記選択手段は、ユーザが操作を入力するためのボタンが押下されたか否かを参照することなく、上記判別手段による判別結果に基づいて、予め定められた複数の処理のうち何れかの処理を選択することを特徴とする請求項１から８の何れか１項に記載の外部機器。
【請求項１２】
セットトップボックスとして機能することを特徴とする請求項１から１１の何れか１項に記載の外部機器。
【請求項１３】
ＰｉｎＰ表示可能な表示装置に、画像を提供する外部機器の制御方法であって、
当該外部機器が提供する画像に対して上記表示装置が重畳して表示するＰｉｎＰ表示画像の座標を取得する座標取得工程と、
当該外部機器が提供する画像に含まれるカーソルの、表示中の上記ＰｉｎＰ表示画像に対する相対的な動きを判別する判別工程と、
上記判別工程における判別結果に基づいて、予め定められた複数の処理のうち何れかの処理を選択する選択工程と、
上記選択工程が選択した処理を実行するよう上記表示装置に通知する通知工程と、を備えていることを特徴とする制御方法。
【請求項１４】
ＰｉｎＰ表示可能な表示装置と、請求項１から１１の何れか１項に記載の外部機器と、を備えていることを特徴とする表示システム。
【請求項１５】
第１の画像に第２の画像を重畳して表示するＰｉｎＰ表示可能な表示装置であって、
当該表示装置が表示する上記第２の画像の座標を取得する座標取得手段と、
上記第１の画像に含まれるカーソルの、表示中の上記第２の画像に対する相対的な動きを判別する判別手段と、
上記判別手段による判別結果に基づいて、予め定められた複数の処理のうち何れかの処理を選択する選択手段と、
上記選択手段が選択した処理を実行する実行手段と、を備えていることを特徴とする表示装置。
【請求項１６】
請求項１５に記載の表示装置の上記各手段を備えていることを特徴とするテレビジョン受像機。